(57)【要約】  送信機（１）は、ＭＭＴにて送信されるコンテンツの映像の色域に関する色域情報を取得する色域情報取得部（１７）と、上記色域情報を含むＭＰＴを生成する制御情報生成部（１８）と、を備えている。
2016031911.tif 000002
【特許請求の範囲】
【請求項１】
ＭＭＴにて送信されるコンテンツを再生するための制御情報を生成する制御情報生成装置であって、
上記コンテンツの映像の色域に関する色域情報を取得する色域情報取得部と、
上記色域情報を含むＭＭＴパッケージテーブルを生成する制御情報生成部と、を備えていることを特徴とする制御情報生成装置。
【請求項２】
上記色域情報には、色度空間または色度平面上で表された上記コンテンツの色域の外縁を示す外縁座標が含まれている、ことを特徴とする請求項１に記載の制御情報生成装置。
【請求項３】
上記色域情報には、上記コンテンツの色域が色度平面上に占める面積と、該色域との比較対象として予め定められた色域が上記色度平面上に占める面積との比を示す面積比情報が含まれている、ことを特徴とする請求項１または２に記載の制御情報生成装置。
【請求項４】
上記色域情報には、上記コンテンツの色域が、該色域との比較対象として予め定められた色域の外に出ている程度を示す情報が含まれている、ことを特徴とする請求項１から３の何れか１項に記載の制御情報生成装置。
【請求項５】
ＭＭＴにて送信されるコンテンツを受信する受信装置であって、
上記コンテンツの映像の色域に関する色域情報を含むＭＭＴパッケージテーブルを取得する制御情報取得部と、
上記コンテンツの映像の色域を上記色域情報に応じて変換する色域変換部と、を備えていることを特徴とする受信装置。
【請求項６】
ＭＭＴにてコンテンツを送信する送信装置と該コンテンツを受信する受信装置とを含む映像信号伝送システムであって、
上記送信装置は、上記コンテンツの映像の色域を示す色域情報を含むＭＭＴパッケージテーブルを上記コンテンツと共にデジタル放送信号として上記受信装置に送信し、
上記受信装置は、上記デジタル放送信号から上記ＭＭＴパッケージテーブルを取得し、上記コンテンツの映像の色域を上記色域情報に応じて変換することを特徴とする映像信号伝送システム。
【請求項７】
請求項１から４のいずれか１項に記載の制御情報生成装置としてコンピュータを機能させるための制御プログラムであって、コンピュータを上記各部として機能させるための制御プログラム。
【請求項８】
請求項５に記載の受信装置としてコンピュータを機能させるための制御プログラムであって、コンピュータを上記各部として機能させるための制御プログラム。
【発明の詳細な説明】
【技術分野】
【０００１】
本発明は、映像の色域の変換に関し、より詳細には映像の色域の変換に用いる情報を生成する制御情報生成装置等に関する。
【背景技術】
【０００２】
放送の高度化の一環として、従来よりも広い色域を再現することのできる映像信号が提案されている。具体的には、国際電気通信連合が制定したITU-R BT.2020（以下、BT.2020と記載）では、従来使われているITU-R BT.709（以下、BT.709と記載）よりも大幅に広い色域を表現することが可能となった。そして、２０１４年には、この規格を採用した４Ｋ試験放送が開始され、今後も４Ｋ／８Ｋの放送を中心に採用される見込みである。【０００３】
ここで、BT.2020のような、広い色域を持った映像信号においては、一部の色は既存のテレビディスプレイでは再現できないことがある。そのため、表示するディスプレイでは、受け取った映像信号を再現可能な色域内に変換する処理が必要となる。【０００４】
この処理には大きく分けて２通りの方法がある。一つは、全ての映像信号を色域圧縮して再現可能な領域内に変換する方法（コンプレッション）である。コンプレッションによれば、全ての色の階調を保ったまま再現することができるが、全体として元の信号とはずれた色表現になってしまうという欠点がある。そして、もう一つは、再現可能な色域の外にある映像信号だけを、再現可能な色域内に圧縮する方法（クリッピング）である。クリッピングによれば、再現可能な色域内の信号を正確に表現することができるが、再現可能な色域外にある信号の階調は失われ、不自然な映像になってしまうという欠点がある。なお、このような色域の変換に関する先行技術文献としては、例えば下記特許文献１〜３が挙げられる。
【先行技術文献】
【特許文献】
【０００５】
【特許文献１】日本国公開特許公報「特開２００６−１４８６０７号公報（２００６年６月８日公開）」
【特許文献２】日本国公開特許公報「特開２００９−２１８９６３号公報（２００９年９月２４日公開）」
【特許文献３】日本国公開特許公報「特開２００９−０３８６８６号公報（２００９年２月１９日公開）」
【発明の概要】
【発明が解決しようとする課題】
【０００６】
ここで、再生対象が、刻々と変化する放送コンテンツのようなものである場合、刻々と変化するコンテンツに合わせて、色域変換処理も適応的に変える必要がある。しかしながら、上記従来技術では、変化するコンテンツに合わせて色域変換処理を適応的に変えることができないという問題があった。例えば、再生対象が切り替わった後も、切り替え前と同じ色域変換処理が適用され、その結果として再生対象の色合いが不自然に変化するといった問題があった。【０００７】
本発明は、上記の問題点に鑑みてなされたものであり、その目的は、再生するコンテンツに応じてその映像の色域を適応的に変換させることができる制御情報生成装置等を提供することにある。
【課題を解決するための手段】
【０００８】
上記の課題を解決するために、本発明の一態様に係る制御情報生成装置は、ＭＭＴにて送信されるコンテンツを再生するための制御情報を生成する制御情報生成装置であって、上記コンテンツの映像の色域に関する色域情報を取得する色域情報取得部と、上記色域情報を含むＭＭＴパッケージテーブルを生成する制御情報生成部と、を備えている構成である。【０００９】
また、本発明の一態様に係る受信装置は、上記の課題を解決するために、ＭＭＴにて送信されるコンテンツを受信する受信装置であって、上記コンテンツの映像の色域に関する色域情報を含むＭＭＴパッケージテーブルを取得する制御情報取得部と、上記コンテンツの映像の色域を上記色域情報に応じて変換する色域変換部と、を備えている構成である。【００１０】
そして、本発明の一態様に係る映像信号伝送システムは、上記の課題を解決するために、ＭＭＴにてコンテンツを送信する送信装置と該コンテンツを受信する受信装置とを含む映像信号伝送システムであって、上記送信装置は、上記コンテンツの映像の色域を示す色域情報を含むＭＭＴパッケージテーブルを上記コンテンツと共にデジタル放送信号として上記受信装置に送信し、上記受信装置は、上記デジタル放送信号から上記ＭＭＴパッケージテーブルを取得し、上記コンテンツの映像の色域を上記色域情報に応じて変換する構成である。
【発明の効果】
【００１１】
本発明の上記各態様によれば、再生するコンテンツに応じてその映像の色域を適応的に変換させることができるという効果を奏する。
【図面の簡単な説明】
【００１２】
【図１】本発明の実施形態１に係る映像信号伝送システムに含まれる送信機および受信機の要部構成の一例を示すブロック図である。
【図２】上記映像信号伝送システムで送受信される、色域情報を含むＭＰＴの一例を示す図である。
【図３】外縁座標を用いた色域変換の一例を示す図である。
【図４】面積比情報を用いた色域変換の一例を示す図である。
【図５】はみ出した領域の面積の割合を示す情報を用いた色域変換の一例を示す図である。
【図６】対応フォーマット情報と非対応フォーマット情報を説明する図である。
【図７】上記受信機で実行される色域情報を取得する処理の一例を示すフローチャートである。
【図８】上記受信機で実行される色域の変換処理の一例を示すフローチャートである。
【図９】本発明の実施形態４に係る映像信号伝送システムに含まれる送信機および受信機の要部構成の一例を示すブロック図である。
【図１０】上記映像信号伝送システムで送受信される、色域情報を含むＰＭＴの一例を示す図である。
【図１１】上記受信機で実行される色域情報を取得する処理の一例を示すフローチャートである。
【図１２】上記受信機で実行される色域の変換処理の一例を示すフローチャートである。
【図１３】本発明の実施形態７に係る映像信号伝送システムに含まれる送信機および受信機の要部構成の一例を示すブロック図である。
【図１４】（ａ）は、上記映像信号伝送システムで送受信される、色域情報を含むＥＩＴの一例を示す図であり、（ｂ）は、（ａ）に示すＥＩＴにおける色域情報を含む記述子の他の一例を示す図である。
【図１５】上記受信機で実行される色域情報を取得する処理の一例を示すフローチャートである。
【図１６】上記受信機で実行される色域の変換処理の一例を示すフローチャートである。
【図１７】上記受信機が、色域情報を含むＥＩＴを参照して生成する電子番組表の一例を示す図である。
【図１８】本発明の実施形態１０に係る映像信号伝送システムに含まれる送信機の要部構成の一例を示すブロック図である。
【図１９】上記映像信号伝送システムに含まれる受信機の要部構成の一例を示すブロック図である。
【図２０】放送信号と共に送信されるＡＩＴと該ＡＩＴに従ったアプリの起動例を示す図である。
【図２１】タイミング指定情報と、該タイミング指定情報に応じた色域の変化の例を示す図である。
【図２２】上記受信機で実行される色域情報を取得する処理の一例を示すフローチャートである。
【図２３】上記受信機で実行される色域の変換処理の一例を示すフローチャートである。
【図２４】変換テーブルを用いた色域変換を説明する図である。
【図２５】色域の調整のために受信機に表示される色域調整画面の一例を示す図である。
【図２６】ユーザ操作による色域調整を受け付ける場合に上記受信機で実行される処理の一例を示すフローチャートである。
【図２７】本発明の実施形態１１に係る映像信号伝送システムの概略構成を示す図である。
【図２８】上記映像信号伝送システムに含まれる受信機および端末装置の要部構成の一例を示すブロック図である。
【図２９】色域の調整のために端末装置に表示される色域調整画面の一例を示す図である。
【発明を実施するための形態】
【００１３】
以下、本発明の実施形態１について、図１〜図８を参照して詳細に説明する。まず、本実施形態に係る映像信号伝送システムの構成を図１に基づいて説明する。図１は、映像信号伝送システム５に含まれる送信機（制御情報生成装置、送信装置）１および受信機（受信装置）２の要部構成の一例を示すブロック図である。
【００１４】
映像信号伝送システム５は、送信機１から受信機２に映像信号等を伝送するシステムである。映像信号伝送システム５は、伝送する映像の色域を示す色域情報を当該映像信号と共に送信する点が主な特徴点であり、これによって、映像に応じた最適な色域変換を行うことを可能にしている。なお、次世代の４Ｋ／８Ｋ放送では、ＭＭＴ（MPEG Media Transport）フォーマットで信号が送信されることが検討されている。そこで、本実施形態では、ＭＭＴフォーマットにて映像信号を伝送する例を説明する。
【００１５】
送信機１は、映像信号等の形態でコンテンツを送信する。より詳細には、送信機１は、放送経路（放送伝送路）にてコンテンツを構成する各パケット（ＭＭＴＰパケット：MMT Protocol パケット）を送信する。一方の受信機２は、このコンテンツ（放送経路で配信されるコンテンツ）の受信機能を備えていると共に、例えばインターネット等の通信網を介して通信経路で配信されるコンテンツの受信機能も備えている。そして、受信機２は、これら２つの経路を介して受信した各コンテンツを組み合わせて再生することができる。なお、同図では、受信機２を１つのみ記載しているが、送信機１は複数の受信機２に対してコンテンツをブロードキャストする。
【００１６】
〔送信機の構成〕
送信機１は、図示のように、オーディオエンコーダ１０、ビデオエンコーダ１１、多重化部１２、暗号化部１３、送信部１４、および制御部１５を備えている。また、制御部１５には、エンコード制御部１６、色域情報取得部１７、および制御情報生成部１８が含まれている。
【００１７】
オーディオエンコーダ１０は、送信機１が送信するコンテンツのオーディオ（音声）ストリームをエンコード（符号化）して多重化部１２に出力する。同様に、ビデオエンコーダ１１は、送信機１が送信するコンテンツのビデオ（映像）ストリームをエンコード（符号化）して多重化部１２に出力する。
【００１８】
多重化部１２は、オーディオエンコーダ１０が出力したオーディオストリーム、ビデオエンコーダ１１が出力したビデオストリーム、および制御部１５が出力した制御情報を多重化して暗号化部１３に出力する。
【００１９】
暗号化部１３は、多重化部１２が出力する多重化ストリームを暗号化して送信部１４に出力する。そして、送信部１４は、暗号化部１３が出力する暗号化されたデータをパケットとして、デジタル放送信号の形態で放送経路にて受信機２に送信する。
【００２０】
制御部１５は、送信機１の備える各部の制御等を行う。具体的には、制御部１５に含まれるエンコード制御部１６は、オーディオエンコーダ１０およびビデオエンコーダ１１を制御してエンコードを行わせる。
【００２１】
色域情報取得部１７は、送信機１が送信するコンテンツの色域に関する情報である色域情報を取得し、取得した色域情報を制御情報生成部１８に出力する。色域情報の取得方法は特に限定されないが、例えば、撮影に使用したカメラの機種等から、その撮影で得られたコンテンツの色域は決まるから、撮影に使ったカメラの情報から色域情報を取得してもよい。また、コンテンツに映像処理が施されている場合、その映像処理に用いた機材によって、そのコンテンツの色域が特定されることもある。この場合、映像処理に用いた機材の情報から色域情報を取得してもよい。この他にも、例えば、編集の時点等の任意のタイミングでコンテンツの映像解析を行うことにより、色域情報を取得してもよい。なお、色域情報の詳細は後述する。
【００２２】
制御情報生成部１８は、送信機１が送信するコンテンツを再生するための制御情報を生成する。この制御情報は、ＭＭＴではＭＭＴ−ＳＩと呼ばれるものであり、コンテンツに関する種々の情報が含まれるが、ここでは、ＭＭＴ−ＳＩのうち、コンテンツのパッケージに関する情報が記述されたＭＰＴ（MMT Package Table）の生成に絞って説明する。
【００２３】
このように、送信機１では、色域情報取得部１７が色域情報を取得する処理（色域情報取得ステップ）を実行する。そして、制御情報生成部１８が上記色域情報を含む制御情報（ＭＰＴ）を生成する処理（制御情報生成ステップ）を実行する。したがって、このＭＰＴを受信した受信機２において、該ＭＰＴと共に受信したコンテンツをその色域情報に応じた適切な変換を行って（あるいは変換を行わずに）表示させることが可能になる。
【００２４】
なお、色域情報取得部１７は、送信機１が送信するコンテンツが切り替わる場合、切り替え後のコンテンツの色域情報を取得し、制御情報生成部１８はこの色域情報を含むＭＰＴを生成する。このように、コンテンツの変化に追従して、異なる色域情報を含むＭＰＴを生成することにより、常に最適な変換によってコンテンツを再生させることが可能になる。
【００２５】
〔受信機の構成〕
受信機２は、図示のように、チューナ２０、通信Ｉ／Ｆ２１、復号部２２、逆多重化部２３、オーディオデコーダ２４、ビデオデコーダ２５、色域変換部２６、表示制御部２７、ディスプレイ２８、および制御部２９を備えている。また、制御部２９には、復号制御部３０、逆多重化制御部３１、および制御情報取得部３２が含まれている。
【００２６】
チューナ２０は、放送経路にてデジタル放送信号として送信されるコンテンツ等を受信して復号部２２に出力する。一方、通信Ｉ／Ｆ２１は、通信経路にて送信されるコンテンツ等を受信して復号部２２に出力する。
【００２７】
復号部２２は、チューナ２０および通信Ｉ／Ｆ２１を介して受信したコンテンツが暗号化されていた場合、これを復号して逆多重化部２３に出力する。
【００２８】
逆多重化部２３は、復号部２２が出力するデータ（暗号は復号されているが多重化されている）を逆多重化する。そして、逆多重化によって得られた当該コンテンツの各構成要素（コンポーネント）を、当該コンポーネントの種別に応じて処理する。具体的には、逆多重化部２３は、オーディオのコンポーネントはオーディオデコーダ２４に出力し、ビデオのコンポーネントはビデオデコーダ２５に出力し、制御情報は制御情報取得部３２に出力する。
【００２９】
オーディオデコーダ２４は、逆多重化部２３が出力するオーディオコンポーネントを復号してオーディオデータを出力する。同様に、ビデオデコーダ２５は、逆多重化部２３が出力するビデオコンポーネントを復号してビデオデータを出力する。
【００３０】
色域変換部２６は、色域情報をもとに、色域変換の要否を決定する。また、変換要の場合には、その方式についても決定し、決定した方式でビデオデコーダ２５が出力するビデオデータの色域を変換する。この変換により、ビデオデコーダ２５が出力するビデオデータの色域が、ディスプレイ２８の表示可能な色域の範囲内に収まるようになる。例えば、色域情報から、再生しようとするビデオデータの色域が、ディスプレイ２８の再現可能な色域の内部にあると判定される場合、変換しないことを決定する。一方、ディスプレイ２８の再現可能な色域の外部にあると判定される場合には、外部にある割合などに応じて適切な変換を行う。なお、色域変換部２６は、制御部２９内に設けられていてもよい。
【００３１】
表示制御部２７は、ビデオデータをディスプレイ２８に表示させる制御を行う。また、ディスプレイ２８は、表示制御部２７の制御に従ってビデオデータを表示する。つまり、受信機２は、放送されるコンテンツの受信機能および再生（表示）機能を備えたテレビジョン受像機である。なお、ディスプレイ２８は、受信機２に外付けされた外部の装置であってもよい。
【００３２】
制御部２９は、受信した制御情報に従って受信機２の備える各部を制御する。具体的には、復号制御部３０は、復号部２２を制御してコンテンツの復号を行わせる。また、逆多重化制御部３１は、逆多重化部２３を制御してコンテンツの逆多重化を行わせる。そして、制御情報取得部３２は、逆多重化部２３が逆多重化することによって出力された制御情報を取得し、制御情報に色域情報が含まれる場合には、この情報を色域変換部２６に出力する。
【００３３】
〔色域情報を含むＭＰＴの例〕
続いて、色域情報を含むＭＰＴの例を図２に基づいて説明する。図２は、色域情報を含むＭＰＴの一例を示す図である。図示のＭＰＴには、当該ＭＰＴのバージョンを示す記述子Ｄ１（version）と、ＭＭＴのパッケージＩＤを示す記述子Ｄ２（MMT_package_id_byte）とが含まれていると共に、色域情報を含む記述子Ｄ３（MPT_descriptors_byte）が含まれている。
【００３４】
そして、記述子Ｄ３内には、当該記述子（descriptor）が色域情報に関する記述子であることを示す予め定めたタグdescriptor_tag、当該記述子の長さを示すdescriptor_length、および色域情報のデータ本体であるdata()が記述されている。なお、descriptor_tagの値は、記述子Ｄ３に色域情報に関する記述が含まれていることが特定できればよく、例えばデジタル放送における標準規格を定めたARIB STD-B60において、他の記述子を示すものとして使用されていない「0x80F0」の値を用いてもよい。
【００３５】
ここで、一般にテレビ放送では、ソースが異なる映像が連続して送信され、このような異なるソースの映像は色域がそれぞれ異なっている可能性がある。そこで、このようなケースに対応するため、制御情報生成部１８は、ソースが変化するときには、ＭＰＴ内の色域情報を更新するとともに、ＭＰＴのバージョン情報（記述子Ｄ１の値）も併せて更新する。そして、受信機２では、制御情報取得部３２が、ＭＰＴのバージョンが更新されるたびに色域情報をチェックし、更新があれば色域変換部２６に新しい色域情報を伝達する。これにより、映像の変化に応じた適切な色の表現が可能となる。
【００３６】
図２のＭＰＴでは、data()として、受信した（再生対象の）コンテンツの映像の色域の色度空間上における外縁を示す外縁座標を格納している。しかしながら、data()に記述する色域情報は、受信したコンテンツの色域に関する情報であって、色域変換の要否判定、および変換要の場合の変換の態様の決定に用いることができるものであればよく、この例に限られない。例えば、上記色域情報は、以下の情報の少なくとも何れかを含むものであってもよい。
（１）色度空間または色度平面上における、色域（受信したコンテンツの映像の色域）の外縁を示す外縁座標
（２）受信したコンテンツの色域が色度平面上に占める面積と、該色域との比較対象として予め定められた色域が上記色度平面上に占める面積との比を示す面積比情報
（３）受信したコンテンツの色域が、該色域との比較対象として予め定められた色域の外に出ている程度を示す情報
（４）受信したコンテンツの色域を包含する色域が規定された色域フォーマット（映像規格）を示す対応フォーマット情報（対応規格情報）
（５）受信したコンテンツの色域の少なくとも一部が包含されない色域が規定された色域フォーマット（映像規格）を示す非対応フォーマット情報（非対応規格情報）
具体例を挙げれば、上記（１）の外縁座標は、［(x,y,z),(x,y,z),…,(x,y,z)］のような形式で記述された、色度空間または色度平面上で表された色域の最外郭の座標であってもよい。外縁座標は、少なくとも３点の座標を含んでいればよい。
【００３７】
また、上記（２）および（３）の「比較対象として予め定められた色域」は、該色域を受信機２側で認識できるものであればよい。例えば、上記「比較対象として予め定められた色域」は、既存の色域フォーマット（映像規格）で定められた色域であってもよいし、既存の色域フォーマットの色域とは独立に設定された色域であってもよい。前者の例としては、上記（２）の「比較対象として予め定められた色域」としてBT.2020の色域を用い、上記（３）の「比較対象として予め定められた色域」としてBT.709の色域を用いる例が挙げられる。なお、上記（３）の「比較対象として予め定められた色域」は、受信したコンテンツの色域のはみ出しが生じ得るような色域（受信したコンテンツが取りうる最大の色域よりも狭い色域）である必要がある。また、後者の例としては、LCD（Liquid Crystal Display） Level 10、OLED（Organic Electro-Luminescence Display） Version 4のように、ディスプレイの種類毎に、色域の広さや範囲がどの程度であるかをバージョン番号やレベルの数値によって規定する例が挙げられる。
【００３８】
上記（２）の面積比情報は、（受信したコンテンツの色域が色度平面上に占める面積）／（比較対象として予め定められた色域が上記色度平面上に占める面積）のような形式で面積比を示すものであってもよい。また、BT.2020の７０％、xvYCC（extended video YCC）の５０％のように、比較対象として予め定められた色域が上記色度平面上に占める面積に対して受信したコンテンツの色域が色度平面上に占める面積の割合をパーセントで示したものであってもよい。
【００３９】
また、上記（３）の情報は、比較対象として予め定められた色域を示す情報と、その色域外となっている色域の割合を示す情報とを対応付けたものとしてもよい。例えば、受信したコンテンツの色域のｎ％がBT.709の色域外に存在する場合には、BT.709, n(%)のような形式の情報としてもよい。
【００４０】
これにより、例えば、BT.709に準拠したディスプレイ２８を備えた受信機２に、ｎ％のはみ出しが生じることを認識させることができる。また、ｎの大小に応じて、変換の態様を変更させることもできる。例えば、ｎが３０〜５０％の場合のように、はみ出る部分が比較的少ない場合にはクリッピングを適用させ、ｎが８０％以上の場合のように、はみ出る部分が多い場合にはコンプレッションを適用させることも可能になる。なお、上記ｎは、色度平面上における画素数をカウントして算出してもよい。例えば、上記ｎは、（上記コンテンツの色域内の画素のうち比較対象の色域外にある画素数）／（上記コンテンツの色域内に含まれる総画素数）×１００との数式で算出してもよい。
【００４１】
上記（４）（５）の対応フォーマット情報および非対応フォーマット情報の詳細については、後に図６を参照して説明する。
【００４２】
〔外縁座標を用いた色域変換の例〕
次に、色域情報として外縁座標（上記（１）参照）を用いた色域変換の例について、図３に基づいて説明する。図３は、外縁座標を用いた色域変換の一例を示す図である。同図の例では、受信したコンテンツの色域フォーマットはBT.2020である。色域情報としては、外縁座標［(x1,y1),(x2,y2),(x3,y3)］を用いている。
【００４３】
同図の（ａ）に示すように、ディスプレイ２８が表示可能な色域Ｒ２はBT.2020の色域Ｒ３より狭く、受信したコンテンツの映像の色域Ｒ１のうち、領域Ｒ４は色域Ｒ２の外にはみ出している。つまり、色域Ｒ１は、ディスプレイ２８の能力を超えた広い色域となっている。
【００４４】
なお、色域Ｒ２の外縁は、ディスプレイ２８の表示性能に応じて予め決まっているから、色域変換部２６は、色域Ｒ２の外縁を示す情報（例えば数式）を予め取得しておくことができる。そして、色域変換部２６は、外縁座標と色域Ｒ２の外縁を示す情報とから領域Ｒ４が生じていることを特定することができる。
【００４５】
そして、同図の（ｂ）では、色域Ｒ１をクリッピングして、ディスプレイ２８が表示可能な色域Ｒ２に収まる色域Ｒ１’に変換している。色域変換部２６は、色域Ｒ２外の頂点（x1,y1）を色域Ｒ２内（例えば、頂点(x1,y1)と(x2,y2)を結ぶ線分、あるいは頂点(x1,y1)と(x3,y3)を結ぶ線分と、色域Ｒ２の外縁を規定する辺とが交わる点）に移動させることによってこの変換を行うことができる。なお、変換後の映像が不自然なものとならないようにするため、頂点の移動は、領域Ｒ１’の形状が、領域Ｒ１の形状とできるだけ近いものとなるように行うことが好ましい。
【００４６】
〔面積比情報を用いた色域変換の例〕
続いて、色域情報として面積比情報（上記（２）参照）を用いた色域変換の例について、図４に基づいて説明する。図４は、面積比情報を用いた色域変換の一例を示す図である。同図の例においても、受信したコンテンツの色域フォーマットはBT.2020である。色域情報としては、BT.2020の色域の面積Ｍに対する、受信したコンテンツの映像の色域の面積Ｎに対する比（Ｎ／Ｍ）を用いている。なお、現状では、BT.2020の色域フォーマットからはみ出るような色域の映像を送信することはできないため、上記面積Ｍは、最大の色域を示す数値であるとも言える。
【００４７】
同図の（ａ）に示すように、ディスプレイ２８が表示可能な色域Ｒ２はBT.2020の色域Ｒ３より狭く、受信したコンテンツの映像の色域Ｒ１は色域Ｒ２の外にはみ出している。このように、色域Ｒ１が色域Ｒ２の外部に大きくはみ出すような場合には、Ｎ／Ｍの値が大きくなる（１に近付く）。よって、色域変換部２６は、例えばＮ／Ｍの値が、予め設定した閾値（ディスプレイ２８の表示性能が高いほど大きい値に設定）を超えているか否かを判定することによって、変換処理の要否を判定することができる。また、色域変換部２６は、色域Ｒ１のはみ出しの程度、すなわちＮ／Ｍの値の大きさに応じて、適用する変換処理を切り替えてもよい。例えば、上記の閾値（閾値Ａと呼ぶ）よりも値の大きい閾値（閾値Ｂ）を予め設定しておき、Ｂ≦Ｎ／Ｍであればコンプレッションを行い、Ａ≦Ｎ／Ｍ＜Ｂであればクリッピングを行ってもよい。
【００４８】
同図の（ｂ）では、色域Ｒ１をコンプレッションして、ディスプレイ２８が表示可能な色域Ｒ２に収まる色域Ｒ１’に変換している。なお、コンプレッションの程度は、Ｎ／Ｍに応じて決定すればよい（Ｎ／Ｍの値が大きいほど強いコンプレッションをかける）。また、色域変換部２６は、色域Ｒ１の外縁座標を用いることにより、色域Ｒ２に丁度収まるような色域Ｒ１’への変換を行ってもよい。この場合には、面積比と外縁座標とを併用することになる。
【００４９】
さらに、色域変換部２６は、コンプレッションとクリッピングの両方を行ってもよい。例えば、コンプレッションを行った後の色域Ｒ１’に依然として色域Ｒ２の外にはみ出している領域が存在した場合、該領域に対してクリッピングを行って、色域Ｒ２内に収めるようにしてもよい。
【００５０】
〔はみ出した領域の面積の割合を用いた色域変換の例〕
続いて、色域情報としてはみ出した領域の面積の割合を示す情報（上記（３）参照）を用いた色域変換の例について、図５に基づいて説明する。図５は、はみ出した領域の面積の割合を示す情報を用いた色域変換の一例を示す図である。同図の例においても、受信したコンテンツの色域フォーマットはBT.2020である。色域情報としては、受信したコンテンツの映像の色域Ｒ１の面積に対する、該色域Ｒ１のうちBT.709の色域Ｒ２’の外にはみ出した色域Ｒ４の面積の割合ｎ（％）を示す情報であるBT.709, n(%)を用いている。
【００５１】
同図の（ａ）に示すように、ハイビジョン放送の色域フォーマットであるBT.709の色域Ｒ２’は、BT.2020の色域Ｒ３より狭く、受信したコンテンツの映像の色域Ｒ１には、色域Ｒ２’の外にはみ出した色域Ｒ４が生じている。したがって、一般的なハイビジョン放送の表示出力を想定して作られたディスプレイに上記コンテンツを表示させる場合、色域変換が必要になる可能性が高い。
【００５２】
このため、色域変換部２６は、ｎ＞０である場合、つまり色域Ｒ２’の外にはみ出した色域Ｒ４が存在する場合には、同図の（ｂ）に示すように、色域Ｒ１を色域Ｒ２’の内部に収まるように変換して、色域Ｒ１’とする。なお、この例では、コンプレッションを行っているが、外縁座標を用いる等して色域Ｒ４の位置を特定することができれば、クリッピングを行うことも可能である。また、コンプレッションとクリッピングの両方を行ってもよい。
【００５３】
ここで、コンテンツによっては、同図の（ｃ）に示すように、その色域Ｒ１がBT.709の色域Ｒ２’よりも狭い（BT.709の色域Ｒ２’に包含されている）こともあり得る。この場合、色域Ｒ４は存在しないので、ｎ＝０となる。
【００５４】
色域変換部２６は、このような場合には、同図の（ｄ）に示すように、色域Ｒ１を色域Ｒ２’の内部に収まる範囲内で拡張して、色域Ｒ１’としてもよい。これにより、コンテンツの色域を拡張して、ディスプレイ２８の性能を最大限まで活用することができる。
【００５５】
〔対応フォーマット情報／非対応フォーマット情報〕
次に、色域情報の１つである対応フォーマット情報（上記（４））と非対応フォーマット情報（上記（５））について、図６に基づいて説明する。図６は、対応フォーマット情報と非対応フォーマット情報を説明する図である。
【００５６】
図６では色度平面上において、受信したコンテンツの映像の色域Ｒ１、ディスプレイ２８に表示可能な色域Ｒ２、BT.2020の色域Ｒ３、BT.709の色域Ｒ５、およびAdobeRGBの色域Ｒ６を示している。このように、BT.2020、BT.709、およびAdobeRGBのような色域フォーマットでは、それぞれ固有の色域が規定されている。また、ディスプレイに表示可能な色域Ｒ２も予め決まっている。ただし、送信機１側からは、放送を受信する多数の受信機のそれぞれについて、そのディスプレイの色域を特定することは実質的に困難である。
【００５７】
ここで、一般に、ディスプレイは、準拠する色域フォーマットに応じた性能となるように設計されている。例えば、ハイビジョン放送のコンテンツを表示対象と想定したディスプレイであれば、少なくともBT.709の色域は表示可能に設計されている可能性が高いが、BT.2020の色域については一部が表示できない可能性がある。
【００５８】
このため、対応フォーマット情報や非対応フォーマット情報を用いることにより、受信機２側で色域変換の要否を判定し、そして色域変換を行う場合にはその方式を決定することができる。
【００５９】
例えば、図６の例では、受信したコンテンツの映像の色域Ｒ１は、BT.2020の色域Ｒ３およびAdobeRGBの色域Ｒ６に完全に包含されていて、はみ出しがない。よって、当該コンテンツの対応フォーマット情報として、BT.2020およびAdobeRGBの少なくとも何れかを示す情報を用いてもよい。この情報を受信した受信機２の色域変換部２６は、そのディスプレイ２８が該情報の示す色域フォーマットに準拠しているか否かを判定することにより、変換の要否等を決定することができる。例えば、対応フォーマット情報の示す色域フォーマットまたはそれよりも色域の広い色域フォーマットに準拠したディスプレイ２８を備えていれば、変換不要と判定することができる。一方、そのディスプレイ２８が、該対応フォーマット情報の示す色域フォーマットに準拠していないか、またはそれよりも色域の狭い色域フォーマットに準拠していれば、変換が必要と判定することができる。
【００６０】
また、図６の例では、受信したコンテンツの映像の色域Ｒ１は、BT.709の色域Ｒ５からはみ出しているので、BT.709を示す情報を、当該コンテンツの非対応フォーマット情報として用いることもできる。この非対応フォーマット情報を受信した受信機２の色域変換部２６は、そのディスプレイ２８が、該非対応フォーマット情報の示す色域フォーマットか、またはそれよりも色域の狭い色域フォーマットに準拠していれば、変換が必要と判定することができる。
【００６１】
なお、対応フォーマット情報または非対応フォーマット情報の示す色域フォーマットは、上述の例に限られない。例えば、BT.601、NTSC（National Television System Committee）、sRGB（standard RGB）、xvYCC等であっても構わない。
【００６２】
また、上記（２）（３）に関して説明したように、このような既存の色域を利用する代わりに、独自に設定した基準によって色域を示してもよい。例えば、図６の色域Ｒ１が独自に設定した基準によりLCD Level 5に該当すると判定された場合、LCD Level 5を示す対応フォーマット情報を受信機２に送信すればよい。そして、受信機２では、ディスプレイ２８がLCD Level 5の色域を表示可能であるか否かにより、変換の要否を判定すればよい。
【００６３】
なお、図６の例の色域Ｒ１を面積比情報で表す場合、例えばBT.2020 65%やAdobeRGB 75%の形式で表すことができる。このように、映像の色域Ｒ１が同じであっても、これに対応する色域情報としては、様々な態様の情報を適用することができる。
【００６４】
〔色域情報の取得処理〕
次に、色域情報の取得について図７に基づいて説明する。図７は、受信機２で実行される色域情報を取得する処理の一例を示すフローチャートである。まず、制御情報取得部３２は、逆多重化部２３が出力する信号からＭＰＴを抽出して、抽出したＭＰＴからさらにdescriptor（記述子）を抽出する（Ｓ１）。
【００６５】
次に、制御情報取得部３２は、抽出した記述子が色域情報の記述子であるか判定する（Ｓ２）。具体的には、制御情報取得部３２は、抽出した記述子のdescriptor_tagの値が、色域情報に予め割り当てられたタグの値と一致する場合には、当該記述子が色域情報の記述子であると判定する。
【００６６】
ここで、色域情報の記述子ではないと判定した場合（Ｓ２でＮＯ）、制御情報取得部３２は、上記ＭＰＴに次の記述子が含まれているか判定する（Ｓ３）。そして、制御情報取得部３２は、含まれていると判定した場合（Ｓ３でＹＥＳ）、Ｓ１の処理に戻って次の記述子を抽出し、含まれていないと判定した場合（Ｓ３でＮＯ）、処理を終了する。
【００６７】
一方、Ｓ２において、Ｓ１で抽出した記述子が色域情報の記述子であると判定した場合（Ｓ２でＹＥＳ）、制御情報取得部３２は、当該記述子を解析して、これに含まれる色域情報を抽出する。そして、抽出した色域情報を色域変換部２６に送信して（Ｓ４）、処理を終了する。
【００６８】
〔色域の変換処理〕
次に、色域の変換について図８に基づいて説明する。図８は、受信機２で実行される色域の変換処理の一例を示すフローチャートである。なお、この処理は、図７のＳ４の処理で送信された色域情報を受信した色域変換部２６が実行する処理である。また、ここでは、色域情報として外縁座標が受信された例を説明する。
【００６９】
まず、色域変換部２６は、受信した色域情報の示す、受信したコンテンツの映像の色域と、ディスプレイ２８の色域とを比較する（Ｓ１０）。そして、映像の色域の方が大きいか否か、言い換えれば映像の色域がディスプレイ２８の色域内に収まっているか否かを判定する（Ｓ１１）。
【００７０】
ここで、映像の色域がディスプレイ２８の色域内に収まっていると判定した場合（Ｓ１１でＮＯ）、色域変換部２６は、色域変換を行わず（Ｓ１５）、処理を終了する。この場合、受信したコンテンツの映像は、色域変換がなされることなくディスプレイ２８に表示される。なお、Ｓ１１でＮＯと判定した場合、色域変換部２６は、映像の色域をディスプレイ２８の色域に収まる範囲内で拡張してもよい。
【００７１】
一方、映像の色域がディスプレイ２８の色域からはみ出していると判定した場合（Ｓ１１でＹＥＳ）、色域変換部２６は、映像の色域の方が１０％以上大きいか否かを判定する（Ｓ１２）。なお、この判定は、例えば、色度平面上において、色域情報として受信した外縁座標から算出した、映像の色域の面積と、同色度平面におけるディスプレイ２８の色域の面積とを比較することで行うことができる。
【００７２】
そして、色域変換部２６は、映像の色域の方が１０％以上大きいと判定した場合（Ｓ１２でＹＥＳ）には、当該映像にコンプレッション処理を施してディスプレイ２８の色域に収まるようにする（Ｓ１３）。一方、色域の差異が１０％に満たないと判定した場合（Ｓ１２でＮＯ）には、当該映像にクリッピング処理を施してディスプレイ２８の色域に収まるようにする（Ｓ１４）。これにより、色域の変換処理は終了する。
【００７３】
なお、上記の例では、クリッピング処理を行うかコンプレッション処理を行うかの判定の基準を、映像の色域がディスプレイ２８の色域より１０％以上大きいか否かとしているが、判定の基準はこの例に限られない。
【００７４】
〔実施形態２：変形例〕
上記実施形態の送信機１は、コンテンツを再生するための制御情報を生成する制御情報生成装置としての機能と、デジタル放送信号を送信する送信装置としての機能とを共に備えていた。しかしながら、互いに独立した制御情報生成装置と送信装置との組み合わせによっても、上記送信機１と同様の機能を実現することができる。
【００７５】
〔実施形態３：ソフトウェアによる実現例〕
送信機１および受信機２の制御ブロック（特に制御部１５、多重化部１２、暗号化部１３、復号部２２、逆多重化部２３、色域変換部２６、表示制御部２７、および制御部２９）は、集積回路（ＩＣチップ）等に形成された論理回路（ハードウェア）によって実現してもよいし、ＣＰＵ（Central Processing Unit）を用いてソフトウェアによって実現してもよい。
【００７６】
後者の場合、送信機１および受信機２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７７】
〔まとめ〕
本発明の態様１に係る制御情報生成装置（送信機１）は、ＭＭＴにて送信されるコンテンツを再生するための制御情報を生成する制御情報生成装置であって、上記コンテンツの映像の色域に関する色域情報を取得する色域情報取得部（１７）と、上記色域情報を含むＭＭＴパッケージテーブルを生成する制御情報生成部（１８）と、を備えている。
【００７８】
上記の構成によれば、色域情報を含むＭＭＴパッケージテーブル（ＭＰＴ）を生成する。ここで、ＭＰＴは、コンテンツと共に受信装置に送信されるものであり、受信装置はＭＰＴを参照しながらコンテンツを再生する。よって、上記の構成によれば、該ＭＰＴを受信した受信装置に、該色域情報に応じて該コンテンツの色域を適応的に変換させることができる。特に、ＭＰＴは、１秒以内程度の短い時間間隔で定期的に送信されるので、コンテンツの変化に概ねリアルタイムで追従して色域を変換させることが可能となる。
【００７９】
本発明の態様２に係る制御情報生成装置では、上記態様１において、上記色域情報には、色度空間または色度平面上で表された上記コンテンツの色域の外縁を示す外縁座標が含まれていてもよい。
【００８０】
上記の構成によれば、色域情報には、色度空間または色度平面上で表された上記コンテンツの色域の外縁を示す外縁座標が含まれている。よって、上記ＭＰＴを取得した受信装置は、該ＭＰＴと共に受信したコンテンツの色域がどのような広がりをもっているかを特定することができる。そして、これにより、該コンテンツを表示させるディスプレイに応じて、上記コンテンツの色域を適切に変換して、または変換することなく、該コンテンツを適切に表示させることができる。
【００８１】
本発明の態様３に係る制御情報生成装置では、上記態様１または２において、上記色域情報には、上記コンテンツの色域が色度平面上に占める面積と、該色域との比較対象として予め定められた色域が上記色度平面上に占める面積との比を示す面積比情報が含まれていてもよい。
【００８２】
上記の構成によれば、色域情報には、上記コンテンツの色域が色度平面上に占める面積と、該色域との比較対象として予め定められた色域が上記色度平面上に占める面積との比を示す面積比情報が含まれている。よって、上記ＭＰＴを取得した受信装置は、該ＭＰＴと共に受信したコンテンツの色域が、比較対象の色域と比べてどの程度大きいかあるいはどの程度小さいかを特定することができる。そして、これにより、該コンテンツを表示させるディスプレイに応じて、上記コンテンツの色域を適切に変換して、または変換することなく、該コンテンツを適切に表示させることができる。
【００８３】
なお、比較対象の色域は、該色域を受信装置側で認識できるものであればよく、例えば既存の色域フォーマットで定められた色域（既存の映像規格で定められた色域）であってもよいし、既存の色域フォーマットの色域とは独立に設定された色域であってもよい。
【００８４】
本発明の態様４に係る制御情報生成装置では、上記態様１から３の何れかにおいて、上記色域情報には、上記コンテンツの色域が、該色域との比較対象として予め定められた色域の外に出ている程度を示す情報が含まれていてもよい。
【００８５】
上記の構成によれば、色域情報には、上記コンテンツの色域が、該色域との比較対象として予め定められた色域の外に出ている程度を示す情報が含まれている。よって、上記ＭＰＴを取得した受信装置は、該ＭＰＴと共に受信したコンテンツの色域が、比較対象の色域からどの程度はみ出しているかを特定することができる。そして、これにより、該コンテンツを表示させるディスプレイに応じて、上記コンテンツの色域を適切に変換して、または変換することなく、該コンテンツを適切に表示させることができる。
【００８６】
本発明の態様５に係る制御情報生成装置では、上記態様１から４の何れかにおいて、上記色域情報には、上記コンテンツの色域を包含する色域が規定された映像規格を示す対応規格情報（対応フォーマット情報）が含まれていてもよい。
【００８７】
上記の構成によれば、色域情報には、上記コンテンツの色域を包含する色域が規定された映像規格を示す対応規格情報が含まれている。よって、上記ＭＰＴを取得した受信装置は、当該コンテンツを表示させるディスプレイが、上記映像規格に準拠していれば、当該コンテンツの色域を変換することなく表示させることが可能であると判定することができる。一方、当該コンテンツを表示させるディスプレイが、上記映像規格に準拠していない、あるいは該映像規格よりも色域の狭い映像規格に準拠している場合には、当該コンテンツの色域を変換する必要があると判定することができる。したがって、上記の構成によれば、コンテンツを表示させるディスプレイに応じて、上記コンテンツの色域を適切に変換して、または変換することなく、該コンテンツを適切に表示させることができる。
【００８８】
本発明の態様６に係る制御情報生成装置では、上記態様１から５の何れかにおいて、上記色域情報には、上記コンテンツの色域の少なくとも一部が包含されない色域が規定された映像規格を示す非対応規格情報（非対応フォーマット情報）が含まれていてもよい。
【００８９】
上記の構成によれば、色域情報には、上記コンテンツの色域の少なくとも一部が包含されない色域が規定された映像規格を示す非対応規格情報が含まれている。よって、上記ＭＰＴを取得した受信装置は、当該コンテンツを表示させるディスプレイが、上記映像規格に準拠している場合、あるいは該映像規格よりも色域の狭い映像規格に準拠している場合、当該コンテンツの色域を変換する必要があると判定することができる。したがって、上記の構成によれば、コンテンツを表示させるディスプレイに応じて、上記コンテンツの色域を適切に変換して、該コンテンツを適切に表示させることができる。
【００９０】
本発明の態様７に係る送信装置（送信機１）は、上記態様１から６の何れかの制御情報生成装置と、上記制御情報生成装置が生成したＭＭＴパッケージテーブルを上記コンテンツと共にデジタル放送信号として送信する送信部１４と、を備えている。
【００９１】
上記の構成によれば、上記制御情報生成装置が生成したＭＭＴパッケージテーブルを上記コンテンツと共にデジタル放送信号として送信する。よって、該デジタル放送信号を受信した受信装置に、上記ＭＭＴパッケージテーブルに含まれる色域情報に応じて、上記コンテンツの色域を適応的に変換させた上で、当該コンテンツを再生させることができる。
【００９２】
本発明の態様８に係る受信装置（受信機２）は、ＭＭＴにて送信されるコンテンツを受信する受信装置であって、上記コンテンツの映像の色域に関する色域情報を含むＭＭＴパッケージテーブルを取得する制御情報取得部（３２）と、上記コンテンツの映像の色域を上記色域情報に応じて変換する色域変換部（色域変換部２６）と、を備えている。
【００９３】
上記の構成によれば、コンテンツの映像の色域に関する色域情報を含むＭＭＴパッケージテーブルを取得して、上記コンテンツの映像の色域を上記色域情報に応じて変換する。よって、上記の構成によれば、色域情報に応じてコンテンツの色域を適応的に変換させた上で、該コンテンツを再生することができる。特に、ＭＰＴは、１秒以内程度の短い時間間隔で定期的に送信されるので、コンテンツの変化に概ねリアルタイムで追従して色域を変換することが可能となる。
【００９４】
本発明の態様９に係るテレビジョン受像機は、上記態様８に記載の受信装置を含んでいる。よって、態様８の受信装置と同様の作用効果を奏する。
【００９５】
本発明の態様１０に係る映像信号伝送システム５は、ＭＭＴにてコンテンツを送信する送信装置（送信機１）と該コンテンツを受信する受信装置（受信機２）とを含む映像信号伝送システムであって、上記送信装置は、上記コンテンツの映像の色域を示す色域情報を含むＭＭＴパッケージテーブルを上記コンテンツと共にデジタル放送信号として上記受信装置に送信し、上記受信装置は、上記デジタル放送信号から上記ＭＭＴパッケージテーブルを取得し、上記コンテンツの映像の色域を上記色域情報に応じて変換する。よって、態様１の制御情報生成装置および態様８の受信装置と同様の作用効果を奏する。
【００９６】
本発明の各態様に係る制御情報生成装置、送信装置、および受信装置は、コンピュータによって実現してもよく、この場合には、コンピュータを上記制御情報生成装置、送信装置、または受信装置が備える各部として動作させることにより上記制御情報生成装置、送信装置、または受信装置をコンピュータにて実現させる制御プログラム、およびそれを記録したコンピュータ読み取り可能な記録媒体も、本発明の範疇に入る。
〔関連する実施形態についての説明I〕
以下、実施形態４〜６について説明する。
【００９７】
〔発明を実施するための形態〕
以下、本発明の実施形態４について、図９〜図１２を参照して詳細に説明する。まず、本実施形態に係る映像信号伝送システムの構成を図９に基づいて説明する。図９は、映像信号伝送システム５ａに含まれる送信機（制御情報生成装置、送信装置）１ａおよび受信機（受信装置）２ａの要部構成の一例を示すブロック図である。
【００９８】
映像信号伝送システム５ａは、送信機１ａから受信機２ａに映像信号等を伝送するシステムである。映像信号伝送システム５ａは、伝送する映像の色域を示す色域情報を当該映像信号と共に送信する点が主な特徴点であり、これによって、映像に応じた最適な色域変換を行うことを可能にしている。なお、現行のデジタル放送では、ＭＰＥＧ−２（Moving PictureExperts Group phase 2）方式のＴＳ（Transport Stream、トランスポートストリーム）フォーマットで信号が送信されている。そこで、本実施形態では、ＴＳフォーマットにて映像信号を伝送する例を説明する。
【００９９】
送信機１ａは、映像信号等の形態でコンテンツを送信する。より詳細には、送信機１ａは、放送経路（放送伝送路）にてコンテンツを構成する各パケット（ＴＳパケット）を送信する。一方の受信機２ａは、このコンテンツ（放送経路で配信されるコンテンツ）の受信機能を備えていると共に、例えばインターネット等の通信網を介して通信経路で配信されるコンテンツの受信機能も備えている。そして、受信機２ａは、これら２つの経路を介して受信した各コンテンツを組み合わせて再生することができる。なお、同図では、受信機２を１つのみ記載しているが、送信機１ａは複数の受信機２ａに対してコンテンツをブロードキャストする。
【０１００】
〔送信機の構成〕
送信機１ａは、図示のように、オーディオエンコーダ１０ａ、ビデオエンコーダ１１ａ、多重化部１２ａ、暗号化部１３ａ、送信部１４ａ、および制御部１５ａを備えている。また、制御部１５ａには、エンコード制御部１６ａ、色域情報取得部１７ａ、および制御情報生成部１８ａが含まれている。
【０１０１】
オーディオエンコーダ１０ａは、送信機１ａが送信するコンテンツのオーディオ（音声）ストリームをエンコード（符号化）して多重化部１２ａに出力する。同様に、ビデオエンコーダ１１ａは、送信機１が送信するコンテンツのビデオ（映像）ストリームをエンコード（符号化）して多重化部１２ａに出力する。
【０１０２】
多重化部１２ａは、オーディオエンコーダ１０ａが出力したオーディオストリーム、ビデオエンコーダ１１ａが出力したビデオストリーム、および制御部１５ａが出力した制御情報を多重化して暗号化部１３ａに出力する。
【０１０３】
暗号化部１３ａは、多重化部１２ａが出力する多重化ストリームを暗号化して送信部１４ａに出力する。そして、送信部１４ａは、暗号化部１３ａが出力する暗号化されたデータをパケットとして、デジタル放送信号の形態で放送経路にて受信機２ａに送信する。
【０１０４】
制御部１５ａは、送信機１ａの備える各部の制御等を行う。具体的には、制御部１５ａに含まれるエンコード制御部１６ａは、オーディオエンコーダ１０ａおよびビデオエンコーダ１１ａを制御してエンコードを行わせる。
【０１０５】
色域情報取得部１７ａは、送信機１ａが送信するコンテンツの色域に関する情報である色域情報を取得し、取得した色域情報を制御情報生成部１８ａに出力する。色域情報の取得方法は特に限定されないが、例えば、撮影に使用したカメラの機種等から、その撮影で得られたコンテンツの色域は決まるから、撮影に使ったカメラの情報から色域情報を取得してもよい。また、コンテンツに映像処理が施されている場合、その映像処理に用いた機材によって、そのコンテンツの色域が特定されることもある。この場合、映像処理に用いた機材の情報から色域情報を取得してもよい。この他にも、例えば、編集の時点等の任意のタイミングでコンテンツの映像解析を行うことにより、色域情報を取得してもよい。なお、色域情報の詳細は後述する。
【０１０６】
制御情報生成部１８ａは、送信機１ａが送信するコンテンツを再生するための制御情報を生成する。この制御情報は、ＴＳではＰＳＩ／ＳＩ（Program Specific Information / Service Information）と呼ばれるものであり、コンテンツに関する種々の情報が含まれるが、ここでは、ＰＳＩ／ＳＩのうち、コンテンツのプログラムに関する情報が記述されたＰＭＴ（Program Map Table、プログラムマップテーブル）の生成に絞って説明する。
【０１０７】
このように、送信機１ａでは、色域情報取得部１７ａが色域情報を取得する処理（色域情報取得ステップ）を実行する。そして、制御情報生成部１８が上記色域情報を含む制御情報（ＰＭＴ）を生成する処理（制御情報生成ステップ）を実行する。したがって、このＰＭＴを受信した受信機２ａにおいて、該ＰＭＴと共に受信したコンテンツをその色域情報に応じた適切な変換を行って（あるいは変換を行わずに）表示させることが可能になる。
【０１０８】
なお、色域情報取得部１７ａは、送信機１ａが送信するコンテンツが切り替わる場合、切り替え後のコンテンツの色域情報を取得し、制御情報生成部１８ａはこの色域情報を含むＰＭＴを生成する。このように、コンテンツの変化に追従して、異なる色域情報を含むＰＭＴを生成することにより、常に最適な変換によってコンテンツを再生させることが可能になる。
【０１０９】
〔受信機の構成〕
受信機２ａは、図示のように、チューナ２０ａ、通信Ｉ／Ｆ２１ａ、復号部２２ａ、逆多重化部２３ａ、オーディオデコーダ２４ａ、ビデオデコーダ２５ａ、色域変換部２６ａ、表示制御部２７ａ、ディスプレイ２８ａ、および制御部２９ａを備えている。また、制御部２９ａには、復号制御部３０ａ、逆多重化制御部３１ａ、および制御情報取得部３２ａが含まれている。
【０１１０】
チューナ２０ａは、放送経路にてデジタル放送信号として送信されるコンテンツ等を受信して復号部２２ａに出力する。一方、通信Ｉ／Ｆ２１ａは、通信経路にて送信されるコンテンツ等を受信して復号部２２ａに出力する。
【０１１１】
復号部２２ａは、チューナ２０ａおよび通信Ｉ／Ｆ２１ａを介して受信したコンテンツが暗号化されていた場合、これを復号して逆多重化部２３ａに出力する。
【０１１２】
逆多重化部２３ａは、復号部２２ａが出力するデータ（暗号は復号されているが多重化されている）を逆多重化する。そして、逆多重化によって得られた当該コンテンツの各構成要素（コンポーネント）を、当該コンポーネントの種別に応じて処理する。具体的には、逆多重化部２３ａは、オーディオのコンポーネントはオーディオデコーダ２４ａに出力し、ビデオのコンポーネントはビデオデコーダ２５ａに出力し、制御情報は制御情報取得部３２ａに出力する。
【０１１３】
オーディオデコーダ２４ａは、逆多重化部２３ａが出力するオーディオコンポーネントを復号してオーディオデータを出力する。同様に、ビデオデコーダ２５ａは、逆多重化部２３ａが出力するビデオコンポーネントを復号してビデオデータを出力する。
【０１１４】
色域変換部２６ａは、色域情報をもとに、色域変換の要否を決定する。また、変換要の場合には、その方式についても決定し、決定した方式でビデオデコーダ２５ａが出力するビデオデータの色域を変換する。この変換により、ビデオデコーダ２５ａが出力するビデオデータの色域が、ディスプレイ２８ａの表示可能な色域の範囲内に収まるようになる。例えば、色域情報から、再生しようとするビデオデータの色域が、ディスプレイ２８ａの再現可能な色域の内部にあると判定される場合、変換しないことを決定する。一方、ディスプレイ２８ａの再現可能な色域の外部にあると判定される場合には、外部にある割合などに応じて適切な変換を行う。なお、色域変換部２６ａは、制御部２９ａ内に設けられていてもよい。
【０１１５】
表示制御部２７ａは、ビデオデータをディスプレイ２８ａに表示させる制御を行う。また、ディスプレイ２８ａは、表示制御部２７ａの制御に従ってビデオデータを表示する。つまり、受信機２ａは、放送されるコンテンツの受信機能および再生（表示）機能を備えたテレビジョン受像機である。なお、ディスプレイ２８ａは、受信機２ａに外付けされた外部の装置であってもよい。
【０１１６】
制御部２９ａは、受信した制御情報に従って受信機２ａの備える各部を制御する。具体的には、復号制御部３０ａは、復号部２２ａを制御してコンテンツの復号を行わせる。また、逆多重化制御部３１ａは、逆多重化部２３ａを制御してコンテンツの逆多重化を行わせる。そして、制御情報取得部３２ａは、逆多重化部２３ａが逆多重化することによって出力された制御情報を取得し、制御情報に色域情報が含まれる場合には、この情報を色域変換部２６ａに出力する。
【０１１７】
〔色域情報を含むＰＭＴの例〕
続いて、色域情報を含むＰＭＴの例を図１０に基づいて説明する。図１０は、色域情報を含むＰＭＴの一例を示す図である。図示のＰＭＴには、当該ＰＭＴのバージョンを示す記述子Ｄ１１（version_number）と、ＰＭＴのプログラムＩＤを示す記述子Ｄ１２（program_number）とが含まれていると共に、色域情報を含む記述子Ｄ１３（descriptor()）が含まれている。
【０１１８】
そして、記述子Ｄ１３内には、当該記述子（descriptor）が色域情報に関する記述子であることを示す予め定めたタグdescriptor_tag、当該記述子の長さを示すdescriptor_length、および色域情報のデータ本体であるdata()が記述されている。なお、descriptor_tagの値は、記述子Ｄ１３に色域情報に関する記述が含まれていることが特定できればよく、例えばデジタル放送における標準規格を定めたARIB STD-B10において、他の記述子を示すものとして使用されていない「0xF0」の値を用いてもよい。
【０１１９】
ここで、一般にテレビ放送では、ソースが異なる映像が連続して送信され、このような異なるソースの映像は色域がそれぞれ異なっている可能性がある。そこで、このようなケースに対応するため、制御情報生成部１８ａは、ソースが変化するときには、ＰＭＴ内の色域情報を更新するとともに、ＰＭＴのバージョン情報（記述子Ｄ１１の値）も併せて更新する。そして、受信機２ａでは、制御情報取得部３２ａが、ＰＭＴのバージョンが更新されるたびに色域情報をチェックし、更新があれば色域変換部２６ａに新しい色域情報を伝達する。これにより、映像の変化に応じた適切な色の表現が可能となる。
【０１２０】
図１０のＰＭＴでは、data()として、受信した（再生対象の）コンテンツの映像の色域の色度空間上における外縁を示す外縁座標を格納している。しかしながら、data()に記述する色域情報は、受信したコンテンツの色域に関する情報であって、色域変換の要否判定、および変換要の場合の変換の態様の決定に用いることができるものであればよく、この例に限られない。例えば、上記色域情報は、以下の情報の少なくとも何れかを含むものであってもよい。
（１）色度空間または色度平面上における、色域（受信したコンテンツの映像の色域）の外縁を示す外縁座標
（２）受信したコンテンツの色域が色度平面上に占める面積と、該色域との比較対象として予め定められた色域が上記色度平面上に占める面積との比を示す面積比情報
（３）受信したコンテンツの色域が、該色域との比較対象として予め定められた色域の外に出ている程度を示す情報
（４）受信したコンテンツの色域を包含する色域が規定された色域フォーマット（映像規格）を示す対応フォーマット情報（対応規格情報）
（５）受信したコンテンツの色域の少なくとも一部が包含されない色域が規定された色域フォーマット（映像規格）を示す非対応フォーマット情報（非対応規格情報）
具体例を挙げれば、上記（１）の外縁座標は、［(x,y,z),(x,y,z),…,(x,y,z)］のような形式で記述された、色度空間または色度平面上で表された色域の最外郭の座標であってもよい。外縁座標は、少なくとも３点の座標を含んでいればよい。
【０１２１】
また、上記（２）および（３）の「比較対象として予め定められた色域」は、該色域を受信機２ａ側で認識できるものであればよい。例えば、上記「比較対象として予め定められた色域」は、既存の色域フォーマット（映像規格）で定められた色域であってもよいし、既存の色域フォーマットの色域とは独立に設定された色域であってもよい。前者の例としては、上記（２）の「比較対象として予め定められた色域」としてBT.2020の色域を用い、上記（３）の「比較対象として予め定められた色域」としてBT.709の色域を用いる例が挙げられる。なお、上記（３）の「比較対象として予め定められた色域」は、受信したコンテンツの色域のはみ出しが生じ得るような色域（受信したコンテンツが取りうる最大の色域よりも狭い色域）である必要がある。また、後者の例としては、LCD（Liquid Crystal Display） Level 10、OLED（Organic Electro-Luminescence Display） Version 4のように、ディスプレイの種類毎に、色域の広さや範囲がどの程度であるかをバージョン番号やレベルの数値によって規定する例が挙げられる。
【０１２２】
上記（２）の面積比情報は、（受信したコンテンツの色域が色度平面上に占める面積）／（比較対象として予め定められた色域が上記色度平面上に占める面積）のような形式で面積比を示すものであってもよい。また、BT.2020の７０％、xvYCC（extended video YCC）の５０％のように、比較対象として予め定められた色域が上記色度平面上に占める面積に対して受信したコンテンツの色域が色度平面上に占める面積の割合をパーセントで示したものであってもよい。
【０１２３】
また、上記（３）の情報は、比較対象として予め定められた色域を示す情報と、その色域外となっている色域の割合を示す情報とを対応付けたものとしてもよい。例えば、受信したコンテンツの色域のｎ％がBT.709の色域外に存在する場合には、BT.709, n(%)のような形式の情報としてもよい。
【０１２４】
これにより、例えば、BT.709に準拠したディスプレイ２８を備えた受信機２ａに、ｎ％のはみ出しが生じることを認識させることができる。また、ｎの大小に応じて、変換の態様を変更させることもできる。例えば、ｎが３０〜５０％の場合のように、はみ出る部分が比較的少ない場合にはクリッピングを適用させ、ｎが８０％以上の場合のように、はみ出る部分が多い場合にはコンプレッションを適用させることも可能になる。なお、上記ｎは、色度平面上における画素数をカウントして算出してもよい。例えば、上記ｎは、（上記コンテンツの色域内の画素のうち比較対象の色域外にある画素数）／（上記コンテンツの色域内に含まれる総画素数）×１００との数式で算出してもよい。
【０１２５】
上記（４）（５）の対応フォーマット情報および非対応フォーマット情報の詳細については、後に図６を参照して説明する。
【０１２６】
〔外縁座標を用いた色域変換の例〕
次に、色域情報として外縁座標（上記（１）参照）を用いた色域変換の例について、色域変換部２６ａは、図３を用いて説明した処理と同様の処理を行う。また、図３を用いて説明した効果と同様の効果を奏する。
【０１２７】
〔面積比情報を用いた色域変換の例〕
続いて、色域情報として面積比情報（上記（２）参照）を用いた色域変換の例について、色域変換部２６ａは、図４を用いて説明した処理と同様の処理を行う。また、図４を用いて説明した効果と同様の効果を奏する。
【０１２８】
〔はみ出した領域の面積の割合を用いた色域変換の例〕
続いて、色域情報としてはみ出した領域の面積の割合を示す情報（上記（３）参照）を用いた色域変換の例について、色域変換部２６ａは、図５を用いて説明した処理と同様の処理を行う。また、図５を用いて説明した効果と同様の効果を奏する。
【０１２９】
〔対応フォーマット情報／非対応フォーマット情報〕
次に、色域情報の１つである対応フォーマット情報（上記（４））と非対応フォーマット情報（上記（５））について、色域変換部２６ａは、図６を用いて説明した処理と同様の処理を行う。また、図６を用いて説明した効果と同様の効果を奏する。
【０１３０】
〔色域情報の取得処理〕
次に、色域情報の取得について図１１に基づいて説明する。図１１は、受信機２ａで実行される色域情報を取得する処理の一例を示すフローチャートである。まず、制御情報取得部３２ａは、逆多重化部２３ａが出力する信号からＰＭＴを抽出して、抽出したＰＭＴからさらにdescriptor（記述子）を抽出する（Ｓ２１）。
【０１３１】
次に、制御情報取得部３２ａは、抽出した記述子が色域情報の記述子であるか判定する（Ｓ２２）。具体的には、制御情報取得部３２ａは、抽出した記述子のdescriptor_tagの値が、色域情報に予め割り当てられたタグの値と一致する場合には、当該記述子が色域情報の記述子であると判定する。
【０１３２】
ここで、色域情報の記述子ではないと判定した場合（Ｓ２２でＮＯ）、制御情報取得部３２ａは、上記ＰＭＴに次の記述子が含まれているか判定する（Ｓ２３）。そして、制御情報取得部３２ａは、含まれていると判定した場合（Ｓ２３でＹＥＳ）、Ｓ２１の処理に戻って次の記述子を抽出し、含まれていないと判定した場合（Ｓ２３でＮＯ）、処理を終了する。
【０１３３】
一方、Ｓ２２において、Ｓ２１で抽出した記述子が色域情報の記述子であると判定した場合（Ｓ２２でＹＥＳ）、制御情報取得部３２ａは、当該記述子を解析して、これに含まれる色域情報を抽出する。そして、抽出した色域情報を色域変換部２６ａに送信して（Ｓ２４）、処理を終了する。
【０１３４】
〔色域の変換処理〕
次に、色域の変換について図１２に基づいて説明する。図１２は、受信機２ａで実行される色域の変換処理の一例を示すフローチャートである。なお、この処理は、図１１のＳ２４の処理で送信された色域情報を受信した色域変換部２６ａが実行する処理である。また、ここでは、色域情報として外縁座標が受信された例を説明する。
【０１３５】
まず、色域変換部２６ａは、受信した色域情報の示す、受信したコンテンツの映像の色域と、ディスプレイ２８ａの色域とを比較する（Ｓ３０）。そして、映像の色域の方が大きいか否か、言い換えれば映像の色域がディスプレイ２８ａの色域内に収まっているか否かを判定する（Ｓ３１）。
【０１３６】
ここで、映像の色域がディスプレイ２８ａの色域内に収まっていると判定した場合（Ｓ３１でＮＯ）、色域変換部２６ａは、色域変換を行わず（Ｓ３５）、処理を終了する。この場合、受信したコンテンツの映像は、色域変換がなされることなくディスプレイ２８ａに表示される。なお、Ｓ３１でＮＯと判定した場合、色域変換部２６ａは、映像の色域をディスプレイ２８ａの色域に収まる範囲内で拡張してもよい。
【０１３７】
一方、映像の色域がディスプレイ２８ａの色域からはみ出していると判定した場合（Ｓ３１でＹＥＳ）、色域変換部２６ａは、映像の色域の方が１０％以上大きいか否かを判定する（Ｓ３２）。なお、この判定は、例えば、色度平面上において、色域情報として受信した外縁座標から算出した、映像の色域の面積と、同色度平面におけるディスプレイ２８ａの色域の面積とを比較することで行うことができる。
【０１３８】
そして、色域変換部２６ａは、映像の色域の方が１０％以上大きいと判定した場合（Ｓ３２でＹＥＳ）には、当該映像にコンプレッション処理を施してディスプレイ２８ａの色域に収まるようにする（Ｓ３３）。一方、色域の差異が１０％に満たないと判定した場合（Ｓ３２でＮＯ）には、当該映像にクリッピング処理を施してディスプレイ２８ａの色域に収まるようにする（Ｓ３４）。これにより、色域の変換処理は終了する。
【０１３９】
なお、上記の例では、クリッピング処理を行うかコンプレッション処理を行うかの判定の基準を、映像の色域がディスプレイ２８ａの色域より１０％以上大きいか否かとしているが、判定の基準はこの例に限られない。
【０１４０】
〔実施形態５：変形例〕
上記実施形態の送信機１ａは、コンテンツを再生するための制御情報を生成する制御情報生成装置としての機能と、デジタル放送信号を送信する送信装置としての機能とを共に備えていた。しかしながら、互いに独立した制御情報生成装置と送信装置との組み合わせによっても、上記送信機１と同様の機能を実現することができる。
【０１４１】
〔実施形態６：ソフトウェアによる実現例〕
送信機１ａおよび受信機２ａの制御ブロック（特に制御部１５ａ、多重化部１２ａ、暗号化部１３ａ、復号部２２ａ、逆多重化部２３ａ、色域変換部２６ａ、表示制御部２７ａ、および制御部２９ａ）は、集積回路（ＩＣチップ）等に形成された論理回路（ハードウェア）によって実現してもよいし、ＣＰＵ（Central Processing Unit）を用いてソフトウェアによって実現してもよい。
【０１４２】
後者の場合、送信機１ａおよび受信機２ａは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１４３】
〔まとめ〕
本発明の態様１１に係る制御情報生成装置（送信機１ａ）は、トランスポートストリームにて送信されるコンテンツを再生するための制御情報を生成する制御情報生成装置であって、上記コンテンツの映像の色域に関する色域情報を取得する色域情報取得部（１７ａ）と、上記色域情報を含むプログラムマップテーブルを生成する制御情報生成部（１８ａ）と、を備えている。
【０１４４】
上記の構成によれば、色域情報を含むプログラムマップテーブル（ＰＭＴ）を生成する。ここで、ＰＭＴは、コンテンツと共に受信装置に送信されるものであり、受信装置はＰＭＴを参照しながらコンテンツを再生する。よって、上記の構成によれば、該ＰＭＴを受信した受信装置に、該色域情報に応じて該コンテンツの色域を適応的に変換させることができる。特に、ＰＭＴは、１秒以内程度の短い時間間隔で定期的に送信されるので、コンテンツの変化に概ねリアルタイムで追従して色域を変換させることが可能となる。
【０１４５】
本発明の態様１２に係る制御情報生成装置では、上記態様１１において、上記色域情報には、色度空間または色度平面上で表された上記コンテンツの色域の外縁を示す外縁座標が含まれていてもよい。
【０１４６】
上記の構成によれば、色域情報には、色度空間または色度平面上で表された上記コンテンツの色域の外縁を示す外縁座標が含まれている。よって、上記ＰＭＴを取得した受信装置は、該ＰＭＴと共に受信したコンテンツの色域がどのような広がりをもっているかを特定することができる。そして、これにより、該コンテンツを表示させるディスプレイに応じて、上記コンテンツの色域を適切に変換して、または変換することなく、該コンテンツを適切に表示させることができる。
【０１４７】
本発明の態様１３に係る制御情報生成装置では、上記態様１１または１２において、上記色域情報には、上記コンテンツの色域が色度平面上に占める面積と、該色域との比較対象として予め定められた色域が上記色度平面上に占める面積との比を示す面積比情報が含まれていてもよい。
【０１４８】
上記の構成によれば、色域情報には、上記コンテンツの色域が色度平面上に占める面積と、該色域との比較対象として予め定められた色域が上記色度平面上に占める面積との比を示す面積比情報が含まれている。よって、上記ＰＭＴを取得した受信装置は、該ＰＭＴと共に受信したコンテンツの色域が、比較対象の色域と比べてどの程度大きいかあるいはどの程度小さいかを特定することができる。そして、これにより、該コンテンツを表示させるディスプレイに応じて、上記コンテンツの色域を適切に変換して、または変換することなく、該コンテンツを適切に表示させることができる。
【０１４９】
なお、比較対象の色域は、該色域を受信装置側で認識できるものであればよく、例えば既存の色域フォーマットで定められた色域（既存の映像規格で定められた色域）であってもよいし、既存の色域フォーマットの色域とは独立に設定された色域であってもよい。
【０１５０】
本発明の態様１４に係る制御情報生成装置では、上記態様１１から１３の何れかにおいて、上記色域情報には、上記コンテンツの色域が、該色域との比較対象として予め定められた色域の外に出ている程度を示す情報が含まれていてもよい。
【０１５１】
上記の構成によれば、色域情報には、上記コンテンツの色域が、該色域との比較対象として予め定められた色域の外に出ている程度を示す情報が含まれている。よって、上記ＰＭＴを取得した受信装置は、該ＰＭＴと共に受信したコンテンツの色域が、比較対象の色域からどの程度はみ出しているかを特定することができる。そして、これにより、該コンテンツを表示させるディスプレイに応じて、上記コンテンツの色域を適切に変換して、または変換することなく、該コンテンツを適切に表示させることができる。
【０１５２】
本発明の態様１５に係る制御情報生成装置では、上記態様１１から１４の何れかにおいて、上記色域情報には、上記コンテンツの色域を包含する色域が規定された映像規格を示す対応規格情報（対応フォーマット情報）が含まれていてもよい。
【０１５３】
上記の構成によれば、色域情報には、上記コンテンツの色域を包含する色域が規定された映像規格を示す対応規格情報が含まれている。よって、上記ＰＭＴを取得した受信装置は、当該コンテンツを表示させるディスプレイが、上記映像規格に準拠していれば、当該コンテンツの色域を変換することなく表示させることが可能であると判定することができる。一方、当該コンテンツを表示させるディスプレイが、上記映像規格に準拠していない、あるいは該映像規格よりも色域の狭い映像規格に準拠している場合には、当該コンテンツの色域を変換する必要があると判定することができる。したがって、上記の構成によれば、コンテンツを表示させるディスプレイに応じて、上記コンテンツの色域を適切に変換して、または変換することなく、該コンテンツを適切に表示させることができる。
【０１５４】
本発明の態様１６に係る制御情報生成装置では、上記態様１１から１５の何れかにおいて、上記色域情報には、上記コンテンツの色域の少なくとも一部が包含されない色域が規定された映像規格を示す非対応規格情報（非対応フォーマット情報）が含まれていてもよい。
【０１５５】
上記の構成によれば、色域情報には、上記コンテンツの色域の少なくとも一部が包含されない色域が規定された映像規格を示す非対応規格情報が含まれている。よって、上記ＰＭＴを取得した受信装置は、当該コンテンツを表示させるディスプレイが、上記映像規格に準拠している場合、あるいは該映像規格よりも色域の狭い映像規格に準拠している場合、当該コンテンツの色域を変換する必要があると判定することができる。したがって、上記の構成によれば、コンテンツを表示させるディスプレイに応じて、上記コンテンツの色域を適切に変換して、該コンテンツを適切に表示させることができる。
【０１５６】
本発明の態様１７に係る送信装置（送信機１ａ）は、上記態様１１から１６の何れかの制御情報生成装置と、上記制御情報生成装置が生成したプログラムマップテーブルを上記コンテンツと共にデジタル放送信号として送信する送信部１４ａと、を備えている。
【０１５７】
上記の構成によれば、上記制御情報生成装置が生成したプログラムマップテーブルを上記コンテンツと共にデジタル放送信号として送信する。よって、該デジタル放送信号を受信した受信装置に、上記プログラムマップテーブルに含まれる色域情報に応じて、上記コンテンツの色域を適応的に変換させた上で、当該コンテンツを再生させることができる。
【０１５８】
本発明の態様１８に係る受信装置（受信機２ａ）は、トランスポートストリームにて送信されるコンテンツを受信する受信装置であって、上記コンテンツの映像の色域に関する色域情報を含むプログラムマップテーブルを取得する制御情報取得部（３２ａ）と、上記コンテンツの映像の色域を上記色域情報に応じて変換する色域変換部（２６ａ）と、を備えている。
【０１５９】
上記の構成によれば、コンテンツの映像の色域に関する色域情報を含むプログラムマップテーブルを取得して、上記コンテンツの映像の色域を上記色域情報に応じて変換する。よって、上記の構成によれば、色域情報に応じてコンテンツの色域を適応的に変換させた上で、該コンテンツを再生することができる。特に、ＰＭＴは、１秒以内程度の短い時間間隔で定期的に送信されるので、コンテンツの変化に概ねリアルタイムで追従して色域を変換することが可能となる。
【０１６０】
本発明の態様１９に係るテレビジョン受像機は、上記態様１８に記載の受信装置を含んでいる。よって、態様１８の受信装置と同様の作用効果を奏する。
【０１６１】
本発明の態様２０に係る映像信号伝送システム５ａは、トランスポートストリームにてコンテンツを送信する送信装置（送信機１ａ）と該コンテンツを受信する受信装置（受信機２ａ）とを含む映像信号伝送システムであって、上記送信装置は、上記コンテンツの映像の色域を示す色域情報を含むプログラムマップテーブルを上記コンテンツと共にデジタル放送信号として上記受信装置に送信し、上記受信装置は、上記デジタル放送信号から上記プログラムマップテーブルを取得し、上記コンテンツの映像の色域を上記色域情報に応じて変換する。よって、態様１１の制御情報生成装置および態様１８の受信装置と同様の作用効果を奏する。
【０１６２】
本発明の各態様に係る制御情報生成装置、送信装置、および受信装置は、コンピュータによって実現してもよく、この場合には、コンピュータを上記制御情報生成装置、送信装置、または受信装置が備える各部として動作させることにより上記制御情報生成装置、送信装置、または受信装置をコンピュータにて実現させる制御プログラム、およびそれを記録したコンピュータ読み取り可能な記録媒体も、本発明の範疇に入る。
〔関連する実施形態についての説明II〕
以下、実施形態７〜９について説明する。
【０１６３】
〔発明を実施するための形態〕
以下、本発明の実施形態７について、図１３〜図１７を参照して詳細に説明する。まず、本実施形態に係る映像信号伝送システムの構成を図１３に基づいて説明する。図１３は、映像信号伝送システム５ｂに含まれる送信機（制御情報生成装置、送信装置）１ｂおよび受信機（受信装置）２ｂの要部構成の一例を示すブロック図である。
【０１６４】
映像信号伝送システム５ｂは、送信機１ｂから受信機２ｂに映像信号等を伝送するシステムである。映像信号伝送システム５ｂは、伝送する映像の色域を示す色域情報を当該映像信号に付加して送信する点が主な特徴点であり、これによって、映像に応じた最適な色域変換を行うことを可能にしている。なお、現行のデジタル放送では、ＭＰＥＧ−２（Moving Picture Experts Group phase 2）方式のＴＳ（Transport Stream、トランスポートストリーム）フォーマットで信号が送信されている。そこで、本実施形態では、ＴＳフォーマットにて映像信号を伝送する例を説明するが、映像信号を伝送するフォーマットは、これに限定されるものではない。例えば、次世代の４Ｋ／８Ｋ放送では、ＭＭＴ（MPEG Media Transport）フォーマットで信号が送信されることが検討されており、ＭＭＴフォーマットにて映像信号を伝送する場合においても、映像信号伝送システム５ｂを適用することが可能である。
【０１６５】
送信機１ｂは、映像信号等の形態でコンテンツを送信する。より詳細には、送信機１ｂは、放送経路（放送伝送路）にてコンテンツを構成する各パケット（ＴＳパケット）を送信する。一方の受信機２ｂは、このコンテンツ（放送経路で配信されるコンテンツ）の受信機能を備えていると共に、例えばインターネット等の通信網を介して通信経路で配信されるコンテンツの受信機能も備えている。そして、受信機２ｂは、これら２つの経路を介して受信した各コンテンツを組み合わせて再生することができる。なお、同図では、受信機２ｂを１つのみ記載しているが、送信機１ｂは複数の受信機２ｂに対してコンテンツをブロードキャストする。
【０１６６】
〔送信機の構成〕
送信機１ｂは、図示のように、オーディオエンコーダ１０ｂ、ビデオエンコーダ１１ｂ、多重化部１２ｂ、暗号化部１３ｂ、送信部１４ｂ、および制御部１５ｂを備えている。また、制御部１５ｂには、エンコード制御部１６ｂ、色域情報取得部１７ｂ、および制御情報生成部１８ｂが含まれている。
【０１６７】
オーディオエンコーダ１０ｂは、送信機１ｂが送信するコンテンツのオーディオ（音声）ストリームをエンコード（符号化）して多重化部１２に出力する。同様に、ビデオエンコーダ１１ｂは、送信機１ｂが送信するコンテンツのビデオ（映像）ストリームをエンコード（符号化）して多重化部１２ｂに出力する。
【０１６８】
多重化部１２ｂは、オーディオエンコーダ１０ｂが出力したオーディオストリーム、ビデオエンコーダ１１ｂが出力したビデオストリーム、および制御部１５ｂが出力した制御情報を多重化して暗号化部１３ｂに出力する。
【０１６９】
暗号化部１３ｂは、多重化部１２ｂが出力する多重化ストリームを暗号化して送信部１４ｂに出力する。そして、送信部１４ｂは、暗号化部１３ｂが出力する暗号化されたデータをパケットとして、デジタル放送信号の形態で放送経路にて受信機２ｂに送信する。
【０１７０】
制御部１５ｂは、送信機１ｂの備える各部の制御等を行う。具体的には、制御部１５ｂに含まれるエンコード制御部１６ｂは、オーディオエンコーダ１０ｂおよびビデオエンコーダ１１ｂを制御してエンコードを行わせる。
【０１７１】
色域情報取得部１７ｂは、送信機１ｂが送信するコンテンツの色域に関する情報である色域情報を取得し、取得した色域情報を制御情報生成部１８ｂに出力する。ここで、「送信機１ｂが送信するコンテンツ」には、送信機１ｂが送信する予定であるコンテンツ、すなわち、放送予定のコンテンツも含まれる。色域情報の取得方法は特に限定されないが、例えば、撮影に使用したカメラの機種等から、その撮影で得られたコンテンツの色域は決まるから、撮影に使ったカメラの情報から色域情報を取得してもよい。また、コンテンツに映像処理が施されている場合、その映像処理に用いた機材によって、そのコンテンツの色域が特定されることもある。この場合、映像処理に用いた機材の情報から色域情報を取得してもよい。この他にも、例えば、編集の時点等の任意のタイミングでコンテンツの映像解析を行うことにより、色域情報を取得してもよい。なお、色域情報の詳細は後述する。
【０１７２】
制御情報生成部１８ｂは、送信機１ｂが送信するコンテンツを再生するための制御情報を生成する。この制御情報は、ＴＳではＰＳＩ／ＳＩ（Program Specific Information / Service Information）と呼ばれるものであり、コンテンツに関する種々の情報が含まれるが、ここでは、ＰＳＩ／ＳＩのうち、コンテンツの内容に関する情報が記述されたＥＩＴ（Event Information Table、イベント情報テーブル）の生成に絞って説明する。なお、次世代の超高精細度テレビジョン放送においては、ＭＨ−ＥＩＴ(MPEG-H Event Information Table)と呼ばれるＥＩＴが用いられる。本明細書中における「ＥＩＴ」との文言には、「現行放送のＥＩＴ」及び「ＭＨ−ＥＩＴ」の双方が含まれるものとする。
【０１７３】
このように、送信機１ｂでは、色域情報取得部１７ｂが色域情報を取得する処理（色域情報取得ステップ）を実行する。そして、制御情報生成部１８ｂが上記色域情報を含む制御情報（ＥＩＴ）を生成する処理（制御情報生成ステップ）を実行する。したがって、このＥＩＴを受信した受信機２ｂにおいて、コンテンツをその色域情報に応じた適切な変換を行って（あるいは変換を行わずに）表示させることが可能になる。
【０１７４】
なお、色域情報取得部１７ｂは、送信機１ｂが送信するコンテンツ毎に、各コンテンツの色域情報を取得し、制御情報生成部１８ｂはこの色域情報を含むＥＩＴを生成する。このように、コンテンツ毎に、異なる色域情報を含むＥＩＴを生成することにより、常に最適な変換によってコンテンツを再生させることが可能になる。
【０１７５】
上記のように、送信機１ｂは、色域情報を含むＥＩＴを送信する構成であるため、従来の構成に変更を行うことなく、色域情報を送信することができる。
【０１７６】
〔受信機の構成〕
受信機２ｂは、図示のように、チューナ２０ｂ、通信Ｉ／Ｆ２１ｂ、復号部２２ｂ、逆多重化部２３ｂ、オーディオデコーダ２４ｂ、ビデオデコーダ２５ｂ、色域変換部２６ｂ、表示制御部２７ｂ、ディスプレイ（表示部）２８ｂ、制御部２９ｂ、およびＯＳＤ生成部（番組表生成部）３３ｂを備えている。また、制御部２９ｂには、復号制御部３０ｂ、逆多重化制御部３１ｂ、および制御情報取得部３２ｂが含まれている。
【０１７７】
チューナ２０ｂは、放送経路にてデジタル放送信号として送信されるコンテンツ等を受信して復号部２２ｂに出力する。一方、通信Ｉ／Ｆ２１ｂは、通信経路にて送信されるコンテンツ等を受信して復号部２２ｂに出力する。
【０１７８】
復号部２２ｂは、チューナ２０ｂおよび通信Ｉ／Ｆ２１ｂを介して受信したコンテンツが暗号化されていた場合、これを復号して逆多重化部２３ｂに出力する。
【０１７９】
逆多重化部２３ｂは、復号部２２ｂが出力するデータ（暗号は復号されているが多重化されている）を逆多重化する。そして、逆多重化によって得られた当該コンテンツの各構成要素（コンポーネント）を、当該コンポーネントの種別に応じて処理する。具体的には、逆多重化部２３ｂは、オーディオのコンポーネントはオーディオデコーダ２４ｂに出力し、ビデオのコンポーネントはビデオデコーダ２５ｂに出力し、制御情報は制御情報取得部３２ｂに出力する。
【０１８０】
オーディオデコーダ２４ｂは、逆多重化部２３ｂが出力するオーディオコンポーネントを復号してオーディオデータを出力する。同様に、ビデオデコーダ２５ｂは、逆多重化部２３ｂが出力するビデオコンポーネントを復号してビデオデータを出力する。
【０１８１】
色域変換部２６ｂは、色域情報をもとに、色域変換の要否を決定する。本実施形態においては、ＥＩＴに色域情報が含まれているため、コンテンツの放送に先立って、当該コンテンツの映像の色域変換の要否を決定することができる。また、変換要の場合には、その方式についても決定し、決定した方式でビデオデコーダ２５ｂが出力するビデオデータの色域を変換する。この変換により、ビデオデコーダ２５ｂが出力するビデオデータの色域が、ディスプレイ２８ｂの表示可能な色域の範囲内に収まるようになる。例えば、色域情報から、再生しようとするビデオデータの色域が、ディスプレイ２８ｂの再現可能な色域の内部にあると判定される場合、変換しないことを決定する。一方、ディスプレイ２８ｂの再現可能な色域の外部にあると判定される場合には、外部にある割合などに応じて適切な変換を行う。なお、色域変換部２６ｂは、制御部２９ｂ内に設けられていてもよい。
【０１８２】
表示制御部２７ｂは、ビデオデータをディスプレイ２８ｂに表示させる制御を行う。また、ディスプレイ２８ｂは、表示制御部２７ｂの制御に従ってビデオデータを表示する。つまり、受信機２ｂは、放送されるコンテンツの受信機能および再生（表示）機能を備えたテレビジョン受像機である。なお、ディスプレイ２８ｂは、受信機２ｂに外付けされた外部の装置であってもよい。
【０１８３】
制御部２９ｂは、受信した制御情報に従って受信機２ｂの備える各部を制御する。具体的には、復号制御部３０ｂは、復号部２２ｂを制御してコンテンツの復号を行わせる。また、逆多重化制御部３１ｂは、逆多重化部２３ｂを制御してコンテンツの逆多重化を行わせる。そして、制御情報取得部３２ｂは、逆多重化部２３ｂが逆多重化することによって出力された制御情報を取得し、ＯＳＤ生成部３３ｂに出力するとともに、制御情報に色域情報が含まれる場合には、この情報を色域変換部２６ｂに出力する。
【０１８４】
ＯＳＤ生成部３３ｂは、制御情報取得部３２ｂが出力する制御情報（ＥＩＴ）を参照して、電子番組表（ＥＰＧ：Electronic Program Guide）を示すＯＳＤ画像を生成する。上記制御情報に色域情報が含まれる場合、ＯＳＤ生成部３３ｂが生成する電子番組表には、各コンテンツの色域情報をさらに含めることができる。特に、色域情報が上記ＥＩＴ内に、後述するようなテキストとして記述されている場合には、各コンテンツの色域情報を、ユーザにとって分かりやすく提示することができる。ＯＳＤ生成部３３ｂにより生成されたＯＳＤ画像は、色域変換部２６ｂから出力されたビデオデータに重畳され、表示制御部２７ｂに供給される。なお、ＯＳＤ生成部３３ｂは、制御部２９ｂ内に設けられていてもよい。
【０１８５】
なお、ＯＳＤ生成部３３ｂが、逆多重化部２３ｂが逆多重化することによって出力された制御情報を取得する構成としてもよい。上記の場合、ＯＳＤ生成部３３ｂは、当該制御情報を解析することにより、電子番組表を示すＯＳＤ画像を生成するとともに、制御情報に色域情報が含まれる場合には、この情報を色域変換部２６ｂに出力するように構成としてもよい。上記の場合には、従来の構成に対して新たな構成を付加することなく、最小限の変更により制御情報取得部を実現することができる。
【０１８６】
〔色域情報を含むＥＩＴの例〕
続いて、色域情報を含むＥＩＴの例を図１４に基づいて説明する。図１４（ａ）は、色域情報を含むＥＩＴの一例を示す図である。図示のＥＩＴには、当該ＥＩＴのバージョンを示す記述子Ｄ２１（version_number）と、ＥＩＴのサービスＩＤを示す記述子Ｄ２２（service_id）とが含まれていると共に、色域情報を含む記述子Ｄ２３（descriptor()）が含まれている。
【０１８７】
そして、記述子Ｄ２３内には、当該記述子（descriptor）が色域情報に関する記述子であることを示す予め定めたタグdescriptor_tag、当該記述子の長さを示すdescriptor_length、および色域情報のデータ本体であるdata()が記述されている。なお、descriptor_tagの値は、記述子Ｄ２３に色域情報に関する記述が含まれていることが特定できればよく、例えばデジタル放送における標準規格を定めたARIB STD-B10において、他の記述子を示すものとして使用されていない「0xF0」の値を用いてもよい。
【０１８８】
ここで、一般にテレビ放送では、ソースが異なる映像が連続して送信され、このような異なるソースの映像は色域がそれぞれ異なっている可能性がある。そこで、このようなケースに対応するため、制御情報生成部１８ｂは、ソースが変化するときには、ＥＩＴ内の色域情報を更新するとともに、ＥＩＴのバージョン情報（記述子Ｄ２１の値）も併せて更新する。そして、受信機２ｂでは、制御情報取得部３２ｂが、ＥＩＴのバージョンが更新されるたびに色域情報をチェックし、更新があれば色域変換部２６ｂに新しい色域情報を伝達する。これにより、映像の変化に応じた適切な色の表現が可能となる。
【０１８９】
図１４（ａ）のＥＩＴでは、data()として、受信した（再生対象の）コンテンツの映像の色域の色度空間上における外縁を示す外縁座標を格納している。しかしながら、data()に記述する色域情報は、受信したコンテンツの色域に関する情報であって、色域変換の要否判定、および変換要の場合の変換の態様の決定に用いることができるものであればよく、この例に限られない。例えば、上記色域情報は、以下の情報の少なくとも何れかを含むものであってもよい。
（１）色度空間または色度平面上における、色域（受信したコンテンツの映像の色域）の外縁を示す外縁座標
（２）受信したコンテンツの色域が色度平面上に占める面積と、該色域との比較対象として予め定められた色域が上記色度平面上に占める面積との比を示す面積比情報
（３）受信したコンテンツの色域が、該色域との比較対象として予め定められた色域の外に出ている程度を示す情報
（４）受信したコンテンツの色域を包含する色域が規定された色域フォーマット（映像規格）を示す対応フォーマット情報（対応規格情報）
（５）受信したコンテンツの色域の少なくとも一部が包含されない色域が規定された色域フォーマット（映像規格）を示す非対応フォーマット情報（非対応規格情報）
具体例を挙げれば、上記（１）の外縁座標は、［(x,y,z),(x,y,z),…,(x,y,z)］のような形式で記述された、色度空間または色度平面上で表された色域の最外郭の座標であってもよい。外縁座標は、少なくとも３点の座標を含んでいればよい。
【０１９０】
また、上記（２）および（３）の「比較対象として予め定められた色域」は、該色域を受信機２側で認識できるものであればよい。例えば、上記「比較対象として予め定められた色域」は、既存の色域フォーマット（映像規格）で定められた色域であってもよいし、既存の色域フォーマットの色域とは独立に設定された色域であってもよい。前者の例としては、上記（２）の「比較対象として予め定められた色域」としてBT.2020の色域を用い、上記（３）の「比較対象として予め定められた色域」としてBT.709の色域を用いる例が挙げられる。なお、上記（３）の「比較対象として予め定められた色域」は、受信したコンテンツの色域のはみ出しが生じ得るような色域（受信したコンテンツが取りうる最大の色域よりも狭い色域）である必要がある。また、後者の例としては、LCD（Liquid Crystal Display） Level 10、OLED（Organic Electro-Luminescence Display） Version 4のように、ディスプレイの種類毎に、色域の広さや範囲がどの程度であるかをバージョン番号やレベルの数値によって規定する例が挙げられる。
【０１９１】
上記（２）の面積比情報は、（受信したコンテンツの色域が色度平面上に占める面積）／（比較対象として予め定められた色域が上記色度平面上に占める面積）のような形式で面積比を示すものであってもよい。また、BT.2020の７０％、xvYCC（extended video YCC）の５０％のように、比較対象として予め定められた色域が上記色度平面上に占める面積に対して受信したコンテンツの色域が色度平面上に占める面積の割合をパーセントで示したものであってもよい。
【０１９２】
また、上記（３）の情報は、比較対象として予め定められた色域を示す情報と、その色域外となっている色域の割合を示す情報とを対応付けたものとしてもよい。例えば、受信したコンテンツの色域のｎ％がBT.709の色域外に存在する場合には、BT.709, n(%)のような形式の情報としてもよい。
【０１９３】
これにより、例えば、BT.709に準拠したディスプレイ２８ｂを備えた受信機２ｂに、ｎ％のはみ出しが生じることを認識させることができる。また、ｎの大小に応じて、変換の態様を変更させることもできる。例えば、ｎが３０〜５０％の場合のように、はみ出る部分が比較的少ない場合にはクリッピングを適用させ、ｎが８０％以上の場合のように、はみ出る部分が多い場合にはコンプレッションを適用させることも可能になる。なお、上記ｎは、色度平面上における画素数をカウントして算出してもよい。例えば、上記ｎは、（上記コンテンツの色域内の画素のうち比較対象の色域外にある画素数）／（上記コンテンツの色域内に含まれる総画素数）×１００との数式で算出してもよい。
【０１９４】
上記（４）（５）の対応フォーマット情報および非対応フォーマット情報の詳細については、後に図６を参照して説明する。
【０１９５】
図１４（ｂ）は、図１４（ａ）に示すＥＩＴにおける色域情報を含む記述子Ｄ２３の他の一例を示す図である。図１４（ｂ）に示す例においては、記述子Ｄ２３内のdescriptor_tagの値として、拡張形式イベント記述子であることを示す「0x4E」が記述されている。拡張形式イベント記述子には、コンテンツに関する詳細な情報がテキストとして記述される。そのため、図１４（ｂ）に示すように、色域情報（上記（１）〜（５）に示す情報）を示すテキストを、記述子Ｄ２３内のtext_charに記述する構成としてもよい。図１４（ｂ）に示す例においては、上記（２）に示す面積比情報を示すテキスト「BT.2020 80%」が記述されており、制御情報取得部３２ｂは、当該テキストを解析することにより色域情報を取得する。なお、text_charに記述されているテキストに、例えば、「＃」などのような予め定められたハッシュタグを付して記述する構成とすれば、当該テキストが色域情報を示すテキストであるか否かの判定を容易にすることができる。
【０１９６】
なお、本例では、拡張形式イベント記述子のテキスト領域で説明したが、短形式イベント記述子descriptor_tag「0x4E」のテキスト領域も同様に使うことができる。
【０１９７】
〔外縁座標を用いた色域変換の例〕
次に、色域情報として外縁座標（上記（１）参照）を用いた色域変換の例について、色域変換部２６ｂは、図３を用いて説明した処理と同様の処理を行う。また、図３を用いて説明した効果と同様の効果を奏する。
【０１９８】
〔面積比情報を用いた色域変換の例〕
続いて、色域情報として面積比情報（上記（２）参照）を用いた色域変換の例について、色域変換部２６ｂは、図４を用いて説明した処理と同様の処理を行う。また、図４を用いて説明した効果と同様の効果を奏する。
【０１９９】
〔はみ出した領域の面積の割合を用いた色域変換の例〕
続いて、色域情報としてはみ出した領域の面積の割合を示す情報（上記（３）参照）を用いた色域変換の例について、色域変換部２６ｂは、図５を用いて説明した処理と同様の処理を行う。また、図５を用いて説明した効果と同様の効果を奏する。
【０２００】
〔対応フォーマット情報／非対応フォーマット情報〕
次に、色域情報の１つである対応フォーマット情報（上記（４））と非対応フォーマット情報（上記（５））について、色域変換部２６ｂは、図６を用いて説明した処理と同様の処理を行う。また、図６を用いて説明した効果と同様の効果を奏する。
【０２０１】
〔色域情報の取得処理〕
次に、色域情報の取得について図１５に基づいて説明する。図１５は、受信機２ｂで実行される色域情報を取得する処理の一例を示すフローチャートである。なお、ここでは、色域情報が記述子Ｄ２３内のdata()に記述されている例（図１４（ａ）を参照）を説明する。まず、制御情報取得部３２ｂは、逆多重化部２３ｂが出力する信号からＥＩＴを抽出して、抽出したＥＩＴからさらにdescriptor（記述子）を抽出する（Ｓ４１）。
【０２０２】
次に、制御情報取得部３２ｂは、抽出した記述子が色域情報の記述子であるか判定する（Ｓ４２）。具体的には、制御情報取得部３２ｂは、抽出した記述子のdescriptor_tagの値が、色域情報に予め割り当てられたタグの値と一致する場合には、当該記述子が色域情報の記述子であると判定する。
【０２０３】
ここで、色域情報の記述子ではないと判定した場合（Ｓ４２でＮＯ）、制御情報取得部３２ｂは、上記ＥＩＴに次の記述子が含まれているか判定する（Ｓ４３）。そして、制御情報取得部３２ｂは、含まれていると判定した場合（Ｓ４３でＹＥＳ）、Ｓ４１の処理に戻って次の記述子を抽出し、含まれていないと判定した場合（Ｓ４３でＮＯ）、処理を終了する。
【０２０４】
一方、Ｓ４２において、Ｓ４１で抽出した記述子が色域情報の記述子であると判定した場合（Ｓ４２でＹＥＳ）、制御情報取得部３２ｂは、当該記述子を解析して、これに含まれる色域情報を抽出する。そして、抽出した色域情報を色域変換部２６ｂに送信して（Ｓ４４）、処理を終了する。
【０２０５】
なお、色域情報が記述子Ｄ２３内のtext_charに記述されている場合（図１４（ｂ）を参照）、Ｓ４２のステップにおいて、制御情報取得部３２ｂは、抽出した記述子を解析して、当該記述子に色域情報を示すテキストが含まれているか判定する構成とすればよい。
【０２０６】
〔色域の変換処理〕
次に、色域の変換について図１６に基づいて説明する。図１６は、受信機２ｂで実行される色域の変換処理の一例を示すフローチャートである。なお、この処理は、図１５のＳ４４の処理で送信された色域情報を受信した色域変換部２６ｂが実行する処理である。また、ここでは、色域情報として外縁座標が受信された例を説明する。
【０２０７】
まず、色域変換部２６ｂは、受信した色域情報の示す、受信したコンテンツの映像の色域と、ディスプレイ２８ｂの色域とを比較する（Ｓ５０）。そして、映像の色域の方が大きいか否か、言い換えれば映像の色域がディスプレイ２８ｂの色域内に収まっているか否かを判定する（Ｓ５１）。
【０２０８】
ここで、映像の色域がディスプレイ２８ｂの色域内に収まっていると判定した場合（Ｓ５１でＮＯ）、色域変換部２６ｂは、色域変換を行わず（Ｓ５５）、処理を終了する。この場合、受信したコンテンツの映像は、色域変換がなされることなくディスプレイ２８ｂに表示される。なお、Ｓ５１でＮＯと判定した場合、色域変換部２６ｂは、映像の色域をディスプレイ２８ｂの色域に収まる範囲内で拡張してもよい。
【０２０９】
一方、映像の色域がディスプレイ２８ｂの色域からはみ出していると判定した場合（Ｓ５１でＹＥＳ）、色域変換部２６ｂは、映像の色域の方が１０％以上大きいか否かを判定する（Ｓ５２）。なお、この判定は、例えば、色度平面上において、色域情報として受信した外縁座標から算出した、映像の色域の面積と、同色度平面におけるディスプレイ２８ｂの色域の面積とを比較することで行うことができる。
【０２１０】
そして、色域変換部２６ｂは、映像の色域の方が１０％以上大きいと判定した場合（Ｓ５２でＹＥＳ）には、当該映像にコンプレッション処理を施してディスプレイ２８ｂの色域に収まるようにする（Ｓ５３）。一方、色域の差異が１０％に満たないと判定した場合（Ｓ５２でＮＯ）には、当該映像にクリッピング処理を施してディスプレイ２８ｂの色域に収まるようにする（Ｓ５４）。これにより、色域の変換処理は終了する。
【０２１１】
なお、上記の例では、クリッピング処理を行うかコンプレッション処理を行うかの判定の基準を、映像の色域がディスプレイ２８ｂの色域より１０％以上大きいか否かとしているが、判定の基準はこの例に限られない。
【０２１２】
〔受信機２における電子番組表〕
続いて、受信機２ｂにおける電子番組表について、図１７を参照して説明する。図１７は、受信機２ｂのＯＳＤ生成部３３ｂが、色域情報を含むＥＩＴを参照して生成する電子番組表の一例を示す図である。図１７に示すように、ＯＳＤ生成部３３ｂが生成する電子番組表は、コンテンツのチャンネルを示す軸と、時間を示す軸とによって張られる二次元面に、各コンテンツを示すセルが配置されている。図１７に示すように、電子番組表のセルの何れかをフォーカスする操作が行われると、当該セルに対応したコンテンツに関する情報がクローズアップされて表示される。コンテンツに関する情報としては、例えば、番組名、放送時間、出演者、及び当該コンテンツの内容を示すテキストなどが挙げられる。
【０２１３】
本実施形態においては、ＥＩＴに色域情報が含まれる構成を採用している。そのため、本実施形態では、ＯＳＤ生成部３３ｂが生成する電子番組表において、各コンテンツの色域情報を提示することができる。図１７に示すように、各コンテンツに関する情報として、番組名、放送時間、出演者、及び当該コンテンツの内容を示すテキストに加え、当該コンテンツの色域情報を示すテキストである「BT.2020 80%」がさらに提示されている。
【０２１４】
なお、ＥＩＴに含まれる色域情報に応じて、電子番組表における各セルの色を変更することにより、ユーザに各コンテンツの色域情報を提示する構成としてもよい。
【０２１５】
〔実施形態８：変形例〕
上記実施形態の送信機１ｂは、コンテンツを再生するための制御情報を生成する制御情報生成装置としての機能と、デジタル放送信号を送信する送信装置としての機能とを共に備えていた。しかしながら、互いに独立した制御情報生成装置と送信装置との組み合わせによっても、上記送信機１ｂと同様の機能を実現することができる。
【０２１６】
〔実施形態９：ソフトウェアによる実現例〕
送信機１ｂおよび受信機２ｂの制御ブロック（特に制御部１５ｂ、多重化部１２ｂ、暗号化部１３ｂ、復号部２２ｂ、逆多重化部２３ｂ、色域変換部２６ｂ、表示制御部２７ｂ、および制御部２９ｂ）は、集積回路（ＩＣチップ）等に形成された論理回路（ハードウェア）によって実現してもよいし、ＣＰＵ（Central Processing Unit）を用いてソフトウェアによって実現してもよい。
【０２１７】
後者の場合、送信機１ｂおよび受信機２ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２１８】
〔まとめ〕
本発明の態様２１に係る制御情報生成装置（送信機１ｂ）は、デジタル放送において送信されるコンテンツを再生するための制御情報を生成する制御情報生成装置であって、上記コンテンツの映像の色域に関する色域情報を取得する色域情報取得部（１７ｂ）と、上記色域情報を含むイベント情報テーブルを生成する制御情報生成部（１８ｂ）と、を備えている。
【０２１９】
上記の構成によれば、色域情報を含むイベント情報テーブル（ＥＩＴ）を生成する。ここで、ＥＩＴは、デジタル放送信号に付加されて送信されるものであり、受信装置において電子番組表を生成する際に参照されるものである。すなわち、上記の構成によれば、該ＥＩＴを受信した受信装置に、該受信装置が再生するコンテンツの色域情報を、該コンテンツの再生に先立って提供することができる。よって、上記の構成によれば、該ＥＩＴを受信した受信装置に、該色域情報に応じて該コンテンツの色域を適応的に変換させることができる。また、上記の構成によれば、該ＥＩＴを受信した受信装置に、該コンテンツの色域情報を含む電子番組表を生成させることができる。
【０２２０】
本発明の態様２２に係る制御情報生成装置では、上記態様２１において、上記色域情報には、色度空間または色度平面上で表された上記コンテンツの色域の外縁を示す外縁座標が含まれていてもよい。
【０２２１】
上記の構成によれば、色域情報には、色度空間または色度平面上で表された上記コンテンツの色域の外縁を示す外縁座標が含まれている。よって、上記ＥＩＴを取得した受信装置は、該コンテンツの色域がどのような広がりをもっているかを特定することができる。そして、これにより、該コンテンツを表示させるディスプレイに応じて、上記コンテンツの色域を適切に変換して、または変換することなく、該コンテンツを適切に表示させることができる。
【０２２２】
本発明の態様２３に係る制御情報生成装置では、上記態様２１または２２において、上記色域情報には、上記コンテンツの色域が色度平面上に占める面積と、該色域との比較対象として予め定められた色域が上記色度平面上に占める面積との比を示す面積比情報が含まれていてもよい。
【０２２３】
上記の構成によれば、色域情報には、上記コンテンツの色域が色度平面上に占める面積と、該色域との比較対象として予め定められた色域が上記色度平面上に占める面積との比を示す面積比情報が含まれている。よって、上記ＥＩＴを取得した受信装置は、該コンテンツの色域が、比較対象の色域と比べてどの程度大きいかあるいはどの程度小さいかを特定することができる。そして、これにより、該コンテンツを表示させるディスプレイに応じて、上記コンテンツの色域を適切に変換して、または変換することなく、該コンテンツを適切に表示させることができる。
【０２２４】
なお、比較対象の色域は、該色域を受信装置側で認識できるものであればよく、例えば既存の色域フォーマットで定められた色域（既存の映像規格で定められた色域）であってもよいし、既存の色域フォーマットの色域とは独立に設定された色域であってもよい。
【０２２５】
本発明の態様２４に係る制御情報生成装置では、上記態様２１から２３の何れかにおいて、上記色域情報には、上記コンテンツの色域が、該色域との比較対象として予め定められた色域の外に出ている程度を示す情報が含まれていてもよい。
【０２２６】
上記の構成によれば、色域情報には、上記コンテンツの色域が、該色域との比較対象として予め定められた色域の外に出ている程度を示す情報が含まれている。よって、上記ＥＩＴを取得した受信装置は、該コンテンツの色域が、比較対象の色域からどの程度はみ出しているかを特定することができる。そして、これにより、該コンテンツを表示させるディスプレイに応じて、上記コンテンツの色域を適切に変換して、または変換することなく、該コンテンツを適切に表示させることができる。
【０２２７】
本発明の態様２５に係る制御情報生成装置では、上記態様２１から２４の何れかにおいて、上記色域情報には、上記コンテンツの色域を包含する色域が規定された映像規格を示す対応規格情報（対応フォーマット情報）が含まれていてもよい。
【０２２８】
上記の構成によれば、色域情報には、上記コンテンツの色域を包含する色域が規定された映像規格を示す対応規格情報が含まれている。よって、上記ＥＩＴを取得した受信装置は、当該コンテンツを表示させるディスプレイが、上記映像規格に準拠していれば、当該コンテンツの色域を変換することなく表示させることが可能であると判定することができる。一方、当該コンテンツを表示させるディスプレイが、上記映像規格に準拠していない、あるいは該映像規格よりも色域の狭い映像規格に準拠している場合には、当該コンテンツの色域を変換する必要があると判定することができる。したがって、上記の構成によれば、コンテンツを表示させるディスプレイに応じて、上記コンテンツの色域を適切に変換して、または変換することなく、該コンテンツを適切に表示させることができる。
【０２２９】
本発明の態様２６に係る制御情報生成装置では、上記態様２１から２５の何れかにおいて、上記色域情報には、上記コンテンツの色域の少なくとも一部が包含されない色域が規定された映像規格を示す非対応規格情報（非対応フォーマット情報）が含まれていてもよい。
【０２３０】
上記の構成によれば、色域情報には、上記コンテンツの色域の少なくとも一部が包含されない色域が規定された映像規格を示す非対応規格情報が含まれている。よって、上記ＥＩＴを取得した受信装置は、当該コンテンツを表示させるディスプレイが、上記映像規格に準拠している場合、あるいは該映像規格よりも色域の狭い映像規格に準拠している場合、当該コンテンツの色域を変換する必要があると判定することができる。したがって、上記の構成によれば、コンテンツを表示させるディスプレイに応じて、上記コンテンツの色域を適切に変換して、該コンテンツを適切に表示させることができる。
【０２３１】
本発明の態様２７に係る送信装置（送信機１ｂ）は、上記態様２１から２６の何れかの制御情報生成装置と、上記制御情報生成装置が生成したイベント情報テーブルを上記コンテンツと共にデジタル放送信号として送信する送信部１４ｂと、を備えている。
【０２３２】
上記の構成によれば、上記制御情報生成装置が生成したイベント情報テーブルをデジタル放送信号に付加して送信する。受信装置は、電子番組表を生成する際に、上記イベント情報テーブルを参照する。すなわち、上記の構成によれば、受信装置に、該受信装置が再生するコンテンツの色域情報を、該コンテンツの再生に先立って提供することができる。よって、該デジタル放送信号を受信した受信装置に、上記イベント情報テーブルに含まれる色域情報に応じて、上記コンテンツの色域を適応的に変換させた上で、当該コンテンツを再生させることができる。
【０２３３】
本発明の態様２８に係る受信装置（受信機２ｂ）は、デジタル放送において送信されるコンテンツを受信する受信装置であって、上記コンテンツの映像の色域に関する色域情報を含むイベント情報テーブルを取得する制御情報取得部（３２ｂ）と、上記コンテンツの映像の色域を上記色域情報に応じて変換する色域変換部（２６ｂ）と、を備えている。
【０２３４】
上記の構成によれば、コンテンツの映像の色域に関する色域情報を含むイベント情報テーブルを、当該コンテンツの再生に先立って取得して、上記コンテンツの映像の色域を上記色域情報に応じて変換する。よって、上記の構成によれば、色域情報に応じてコンテンツの色域を適応的に変換させた上で、該コンテンツを再生することができる。また、上記の構成によれば、該コンテンツの色域情報を含む電子番組表を生成することができる。
【０２３５】
本発明の態様２９に係る受信装置は、上記態様２８において、上記色域情報は、上記イベント情報テーブルにテキストとして記述されており、上記色域情報を示すテキストが含まれた番組表（ＥＰＧ）を生成する番組表生成部（ＯＳＤ生成部３３ｂ）と、上記番組表生成部によって生成された番組表を表示部（ディスプレイ２８ｂ）に表示させる表示制御部（２７ｂ）と、をさらに備えていてもよい。
【０２３６】
上記の構成によれば、上記受信装置が、上記イベント情報テーブルを参照して生成する電子番組表に、上記色域情報を含めることができる。特に、上記の構成においては、当該色域情報を示すテキストを、そのまま上記番組表に含めることができるので、各コンテンツの色域情報を、ユーザにとって分かりやすく提示することができる。
【０２３７】
本発明の態様３０に係るテレビジョン受像機は、上記態様２８または２９に記載の受信装置を含んでいる。よって、態様２８の受信装置と同様の作用効果を奏する。
【０２３８】
本発明の態様３１に係る映像信号伝送システム５は、デジタル放送におけるコンテンツを送信する送信装置（送信機１ｂ）と該コンテンツを受信する受信装置（受信機２ｂ）とを含む映像信号伝送システムであって、上記送信装置は、上記コンテンツの映像の色域を示す色域情報を含むイベント情報テーブルをデジタル放送信号に付加して上記受信装置に送信し、上記受信装置は、上記デジタル放送信号から上記イベント情報テーブルを取得し、上記コンテンツの映像の色域を上記色域情報に応じて変換する。よって、態様２１の制御情報生成装置および態様２８の受信装置と同様の作用効果を奏する。
【０２３９】
本発明の各態様に係る制御情報生成装置、送信装置、および受信装置は、コンピュータによって実現してもよく、この場合には、コンピュータを上記制御情報生成装置、送信装置、または受信装置が備える各部として動作させることにより上記制御情報生成装置、送信装置、または受信装置をコンピュータにて実現させる制御プログラム、およびそれを記録したコンピュータ読み取り可能な記録媒体も、本発明の範疇に入る。
〔関連する実施形態についての説明III〕
以下、実施形態１０〜１３について説明する。
【０２４０】
〔実施形態１０〜１３の背景技術について〕
放送の高度化の一環として、従来よりも広い色域を再現することのできる映像信号が提案されている。具体的には、国際電気通信連合が制定したITU-R BT.2020（以下、BT.2020と記載）では、従来使われているITU-R BT.709（以下、BT.709と記載）よりも大幅に広い色域を表現することが可能となった。そして、２０１４年には、この規格を採用した４Ｋ試験放送が開始され、今後も４Ｋ／８Ｋの放送を中心に採用される見込みである。
【０２４１】
ここで、BT.2020のような、広い色域を持った映像信号においては、一部の色は既存のテレビディスプレイでは再現できないことがある。そのため、表示するディスプレイでは、受け取った映像信号を再現可能な色域内に変換する処理が必要となる。
【０２４２】
この処理には大きく分けて２通りの方法がある。一つは、全ての映像信号を色域圧縮して再現可能な領域内に変換する方法（コンプレッション）である。コンプレッションによれば、全ての色の階調を保ったまま再現することができるが、全体として元の信号とはずれた色表現になってしまうという欠点がある。そして、もう一つは、再現可能な色域の外にある映像信号だけを、再現可能な色域内に圧縮する方法（クリッピング）である。クリッピングによれば、再現可能な色域内の信号を正確に表現することができるが、再現可能な色域外にある信号の階調は失われ、不自然な映像になってしまうという欠点がある。なお、このような色域の変換に関する先行技術文献としては、例えば下記特許文献１〜３が挙げられる。
【０２４３】
〔実施形態１０〜１３の発明が解決しようとする課題〕
ここで、再生対象が、刻々と変化する放送コンテンツのようなものである場合、刻々と変化するコンテンツに合わせて、色域変換処理も適応的に変える必要がある。しかしながら、上記従来技術では、変化するコンテンツに合わせて色域変換処理を適応的に変えることができないという問題があった。例えば、再生対象が切り替わった後も、切り替え前と同じ色域変換処理が適用され、その結果として再生対象の色合いが不自然に変化するといった問題があった。
【０２４４】
また、近時、放送を受信可能な受信装置（テレビジョン受像機など）において、放送経路と通信経路という２つの通信経路を併用したサービス（例えばハイブリッドキャスト）に対応しているものも市販されるようになっている。しかしながら、従来は、ネットワーク通信に対応した受信装置が、通信経路を介して取得した情報を用いてコンテンツを再生することができるという特性を、色域の適応的な変換に利用することは行われていなかった。
【０２４５】
本発明は、上記の問題点に鑑みてなされたものであり、その目的は、放送経路と通信経路とを併用したサービスに対応した受信装置に、コンテンツの色域を適応的に変換させることができる送信装置等を提供することにある。
【０２４６】
〔実施形態１０〜１３に係る発明の効果〕
実施形態１０〜１３に係る発明によれば、放送経路と通信経路とを併用したサービスに対応した受信装置に、再生するコンテンツに応じてその映像の色域を適応的に変換させることができるという効果を奏する。
【０２４７】
〔発明を実施するための形態〕
〔実施形態１０〕
以下、本発明の実施形態１０について、図１８〜図２６を参照して詳細に説明する。まず、本実施形態に係る映像信号伝送システムの構成を図１８に基づいて説明する。図１８は、映像信号伝送システム５ｃに含まれる送信機（送信装置、制御情報生成装置）１ｃの要部構成の一例を示すブロック図である。
【０２４８】
映像信号伝送システム５ｃは、送信機１ｃから受信機（受信装置）２ｃに映像信号等を伝送するシステムである。映像信号伝送システム５ｃは、伝送する映像の色域を示す色域情報を、通信経路を介して受信機２ｃに取得させる点が主な特徴点であり、これによって、映像に応じた最適な色域変換を行うことを可能にしている。なお、次世代の４Ｋ／８Ｋ放送では、ＭＭＴ（MPEG Media Transport）フォーマットで信号が送信されることが検討されている。そこで、本実施形態では、ＭＭＴフォーマットにて映像信号を伝送する例を説明する。
【０２４９】
送信機１ｃは、映像信号等の形態でコンテンツを送信する。より詳細には、送信機１ｃは、放送経路（放送伝送路）にてコンテンツを構成する各パケット（ＭＭＴＰパケット：MMT Protocol パケット）を送信する。一方の受信機２ｃは、このコンテンツ（放送経路で配信されるコンテンツ）の受信機能を備えていると共に、例えばインターネット等の通信網を介して通信経路で配信されるコンテンツの受信機能も備えている。そして、受信機２ｃは、これら２つの経路を介して受信した各コンテンツを組み合わせて再生することができる。なお、同図では、受信機２ｃを１つのみ記載しているが、送信機１ｃは複数の受信機２ｃに対してコンテンツをブロードキャストする。
【０２５０】
〔送信機の構成〕
送信機１ｃは、図示のように、オーディオエンコーダ１０ｃ、ビデオエンコーダ１１ｃ、多重化部１２ｃ、暗号化部１３ｃ、送信部（制御情報送信部）１４ｃ、制御部１５ｃ、および通信Ｉ／Ｆ１６ｃを備えている。また、制御部１５ｃには、エンコード制御部１５１ｃ、色域情報取得部１５２ｃ、色域情報通知部（色域情報送信部）１５３ｃ、および制御情報生成部１５４ｃが含まれている。
【０２５１】
オーディオエンコーダ１０ｃは、送信機１ｃが送信するコンテンツのオーディオ（音声）ストリームをエンコード（符号化）して多重化部１２に出力する。同様に、ビデオエンコーダ１１ｃは、送信機１ｃが送信するコンテンツのビデオ（映像）ストリームをエンコード（符号化）して多重化部１２ｃに出力する。
【０２５２】
多重化部１２ｃは、オーディオエンコーダ１０ｃが出力したオーディオストリーム、ビデオエンコーダ１１ｃが出力したビデオストリーム、および制御部１５ｃが出力した制御情報を多重化して暗号化部１３ｃに出力する。
【０２５３】
暗号化部１３ｃは、多重化部１２ｃが出力する多重化ストリームを暗号化して送信部１４ｃに出力する。そして、送信部１４ｃは、暗号化部１３ｃが出力する暗号化されたデータをパケットとして、デジタル放送信号の形態で放送経路にて受信機２ｃに送信する。
【０２５４】
制御部１５ｃは、送信機１ｃの備える各部の制御等を行う。具体的には、制御部１５ｃに含まれるエンコード制御部１５１ｃは、オーディオエンコーダ１０ｃおよびビデオエンコーダ１１ｃを制御してエンコードを行わせる。
【０２５５】
色域情報取得部１５２ｃは、送信機１ｃが送信するコンテンツの色域に関する情報である色域情報を取得し、取得した色域情報を色域情報通知部１５３ｃに出力する。色域情報の取得方法は特に限定されないが、例えば、撮影に使用したカメラの機種等から、その撮影で得られたコンテンツの色域は決まるから、撮影に使ったカメラの情報から色域情報を取得してもよい。また、コンテンツに映像処理が施されている場合、その映像処理に用いた機材によって、そのコンテンツの色域が特定されることもある。この場合、映像処理に用いた機材の情報から色域情報を取得してもよい。この他にも、例えば、編集の時点等の任意のタイミングでコンテンツの映像解析を行うことにより、色域情報を取得してもよい。なお、色域情報の詳細は後述する。
【０２５６】
色域情報通知部１５３ｃは、色域情報取得部１５２ｃが取得した色域情報を受信機２ｃに通知する。具体的には、色域情報通知部１５３ｃは、受信機２ｃからの要求に応じて、通信Ｉ／Ｆ１６ｃを介して色域情報を当該受信機２ｃに送信する。
【０２５７】
制御情報生成部１５４ｃは、送信機１ｃが送信するコンテンツを再生するための制御情報を生成する。この制御情報は、ＭＭＴではＭＭＴ−ＳＩと呼ばれるものであり、コンテンツに関する種々の情報が含まれるが、ここでは、ＭＭＴ−ＳＩのうち、コンテンツの映像の出力中に実行されるプログラム（ソフトウェア）に関する情報が記述されたＡＩＴ（Application Information Table）の生成に絞って説明する。
【０２５８】
なお、ＭＭＴによるメディアトランスポート方式を規定しているＡＲＩＢ  ＳＴＤ−Ｂ６０では、ＴＳ方式のＡＩＴと区別して、ＭＨ−ＡＩＴ（Application Information Table）と呼ばれるＡＩＴが規定されている。ＴＳ方式のＡＩＴとＮＨ−ＡＩＴとは、descriptor_tagが８ビットであるか、１６ビットであるかという点が異なるだけであり、本明細書中における「ＡＩＴ」との文言には、「ＴＳ方式のＡＩＴ」及び「ＭＨ−ＡＩＴ」の双方が含まれるものとする。
【０２５９】
このように、送信機１ｃでは、色域情報取得部１５２ｃが色域情報を取得する処理（色域情報取得ステップ）を実行し、制御情報生成部１５４ｃが上記色域情報を取得するための制御情報（ＡＩＴ）を生成する処理（制御情報生成ステップ）を実行する。そして、送信部１４ｃが上記制御情報を受信機２ｃに送信する処理（制御情報送信ステップ）を実行し、該制御情報に従って色域情報の送信を要求する受信機２ｃに対し、色域情報通知部１５３ｃが色域情報を通信経路にて送信する処理（色域情報送信ステップ）を実行する。
【０２６０】
したがって、このＡＩＴを受信した受信機２ｃにおいて、該ＡＩＴと共に受信したコンテンツをその色域情報に応じた適切な変換を行って（あるいは変換を行わずに）表示させることが可能になる。
【０２６１】
なお、色域情報取得部１５２ｃは、送信機１ｃが送信するコンテンツが切り替わる場合、切り替え後のコンテンツの色域情報を取得し、色域情報通知部１５３ｃは新たに取得された色域情報を送信する。このように、コンテンツの変化に追従して、異なる色域情報を送信することにより、常に最適な変換によってコンテンツを再生させることが可能になる。なお、上記の例のように、ＡＩＴを書き換えることなく、送信する色域情報を切り替えてもよいし、送信する色域情報の変更に伴い、当該変更後の色域情報が取得されるようにＡＩＴを書き換えてもよい。
【０２６２】
〔受信機の構成〕
続いて、受信機２ｃの構成を図１９に基づいて説明する。図１９は、受信機２ｃの要部構成の一例を示すブロック図である。受信機２ｃは、図示のように、チューナ２０ｃ、通信Ｉ／Ｆ２１ｃ、復号部２２ｃ、逆多重化部２３ｃ、オーディオデコーダ２４ｃ、ビデオデコーダ２５ｃ、色域変換部２６ｃ、表示制御部２７ｃ、ディスプレイ２８ｃ、入力部２９ｃ、および制御部３０ｃを備えている。また、制御部３０ｃには、復号制御部３０１ｃ、逆多重化制御部３０２ｃ、制御情報取得部３０３ｃ、アプリ制御部３０４ｃ、色域情報取得部３０５ｃ、および色域調整部３０６ｃが含まれている。
【０２６３】
チューナ２０ｃは、放送経路にてデジタル放送信号として送信されるコンテンツ等を受信して復号部２２ｃに出力する。一方、通信Ｉ／Ｆ２１ｃは、通信経路にて送信されるコンテンツ等を受信して復号部２２ｃに出力する。つまり、受信機２ｃは、放送経路と通信経路とを併用したサービスに対応した受信装置である。また、詳細は後述するが、通信Ｉ／Ｆ２１ｃを介して色域情報が取得される。
【０２６４】
復号部２２ｃは、チューナ２０ｃおよび通信Ｉ／Ｆ２１ｃを介して受信したコンテンツが暗号化されていた場合、これを復号して逆多重化部２３ｃに出力する。
【０２６５】
逆多重化部２３ｃは、復号部２２ｃが出力するデータ（暗号は復号されているが多重化されている）を逆多重化する。そして、逆多重化によって得られた当該コンテンツの各構成要素（コンポーネント）を、当該コンポーネントの種別に応じて処理する。具体的には、逆多重化部２３ｃは、オーディオのコンポーネントはオーディオデコーダ２４ｃに出力し、ビデオのコンポーネントはビデオデコーダ２５ｃに出力し、制御情報は制御情報取得部３０３ｃに出力する。
【０２６６】
オーディオデコーダ２４ｃは、逆多重化部２３ｃが出力するオーディオコンポーネントを復号してオーディオデータを出力する。同様に、ビデオデコーダ２５ｃは、逆多重化部２３ｃが出力するビデオコンポーネントを復号してビデオデータを出力する。
【０２６７】
色域変換部２６ｃは、色域情報をもとに、色域変換の要否を決定する。また、変換要の場合には、その方式についても決定し、決定した方式でビデオデコーダ２５ｃが出力するビデオデータの色域を変換する。この変換により、ビデオデコーダ２５ｃが出力するビデオデータの色域が、ディスプレイ２８ｃの表示可能な色域の範囲内に収まるようになる。例えば、色域情報から、再生しようとするビデオデータの色域が、ディスプレイ２８ｃの再現可能な色域の内部にあると判定される場合、変換しないことを決定する。一方、ディスプレイ２８ｃの再現可能な色域の外部にあると判定される場合には、外部にある割合などに応じて適切な変換を行う。なお、色域変換部２６ｃは、制御部３０ｃ内に設けられていてもよい。
【０２６８】
表示制御部２７ｃは、ビデオデータをディスプレイ２８ｃに表示させる制御を行う。また、ディスプレイ２８ｃは、表示制御部２７ｃの制御に従ってビデオデータを表示する。つまり、受信機２ｃは、放送されるコンテンツの受信機能および再生（表示）機能を備えたテレビジョン受像機である。なお、ディスプレイ２８ｃは、受信機２ｃに外付けされた外部の装置であってもよい。
【０２６９】
入力部２９ｃは、受信機２ｃに対するユーザ操作を受け付けて制御部３０ｃに該操作の内容を通知する入力装置である。入力部２９ｃは、例えば赤外線等で送信される、ユーザ操作の内容を示す信号を受信する受信部であってもよい。
【０２７０】
制御部３０ｃは、受信した制御情報に従って受信機２ｃの備える各部を制御する。具体的には、復号制御部３０１ｃは、復号部２２ｃを制御してコンテンツの復号を行わせる。また、逆多重化制御部３０２ｃは、逆多重化部２３ｃを制御してコンテンツの逆多重化を行わせる。
【０２７１】
制御情報取得部３０３ｃは、逆多重化部２３ｃが逆多重化することによって出力された制御情報を取得し、制御情報に含まれるアプリケーションの制御信号をアプリ制御部３０４ｃに出力する。そして、アプリ制御部３０４ｃは、制御情報取得部３０３ｃが出力するアプリケーションの制御信号に従って各種アプリケーションソフトウェア（以下、アプリと呼ぶ）の動作を制御する。具体的には、アプリ制御部３０４ｃは、色域情報取得部３０５ｃと色域調整部３０６ｃを起動させ、また起動終了させる制御を行う。
【０２７２】
色域情報取得部３０５ｃおよび色域調整部３０６ｃは、アプリによってその機能が実現されるものである。色域情報取得部３０５ｃは、通信Ｉ／Ｆ２１ｃを介して送信機１ｃから色域情報を取得して色域調整部３０６ｃまたは色域変換部２６ｃに送信する。色域調整部３０６ｃは、色域を調整するためのユーザ操作を受け付け、該ユーザ操作に応じた色域の調整方法を色域変換部２６ｃに通知する。
【０２７３】
〔アプリケーションの制御信号と色域情報の取得〕
続いて、アプリケーションの制御信号と色域情報の取得について、図２０に基づいて説明する。図２０は、放送経路と通信経路とを併用したサービスとして実現されるハイブリッドキャストサービスを例として取り上げ、放送信号と共に送信されるアプリケーションの制御信号（ＡＩＴ）と該ＡＩＴに従ったアプリの起動例を示す図である。
【０２７４】
同図の（ａ）には、ＡＩＴに従って１つのアプリ（色域情報取得部３０５ｃ）を起動する例を示している。図示のように、ＡＩＴは送信信号（放送信号）と共に送信されており、同一サービスの選局が維持されている間は、そのサービスのＡＩＴが定期的に送信される。
【０２７５】
ここで、送信機１ｃが送信するＡＩＴには、色域情報取得部３０５ｃを自動で起動することを示す記述が含まれており、このＡＩＴを受信した受信機２ｃでは、この記述に従って色域情報取得部３０５ｃを起動する。そして、起動した色域情報取得部３０５ｃによって、色域情報が取得されると、色域情報取得部３０５ｃの起動を終了する。なお、色域情報の取得先は、例えばＵＲＬ（Uniform Resource Locator）等の形式でＡＩＴに記述されていてもよい。
【０２７６】
一方、同図の（ｂ）には、ＡＩＴに従って２つのアプリ（色域情報取得部３０５ｃと色域調整部３０６ｃ）を起動する例を示している。この例においても、送信機１ｃが送信するＡＩＴには、色域情報取得部３０５ｃを自動で起動することを示す記述が含まれており、このＡＩＴを受信した受信機２ｃでは、この記述に従って色域情報取得部３０５ｃを起動する。
【０２７７】
また、この例では、ＡＩＴにもう１つのアプリ（色域調整部３０６ｃに対応するapp2）が記述されている。起動した色域情報取得部３０５ｃによって色域情報が取得され、所定のユーザ操作がなされると、ＡＩＴに従って、色域情報取得部３０５ｃ（app1）に代わって色域調整部３０６ｃを起動する。そして、起動した色域調整部３０６ｃによって、色域を調整するユーザ操作を受け付けて、該ユーザ操作に応じた色域の調整方法が決定されると、色域情報取得部３０５ｃおよび色域調整部３０６ｃの起動を終了する。
【０２７８】
ここで、一般にテレビ放送では、ソースが異なる映像が連続して送信され、このような異なるソースの映像は色域がそれぞれ異なっている可能性がある。そこで、このようなケースに対応するため、送信機１ｃの色域情報通知部１５３ｃは、通知する色域情報を、新たなソースに対応するものに更新する。そして、受信機２ｃのアプリ制御部３０４ｃは、定期的に（例えば新たなＡＩＴを受信したタイミングや、ＡＩＴのバージョンが変わったタイミングで）色域情報取得部３０５ｃを起動して、再度色域情報を取得させる。これにより、映像の変化に応じた適切な色の表現が可能となる。
【０２７９】
〔コンテンツとの同期〕
上述のように、送信機１ｃは、放送経路にてコンテンツを送信すると共に、通信経路にてそのコンテンツの色域情報を送信する。そして、受信機２ｃは、放送経路にて送信される上記コンテンツを再生しながら、通信経路にて受信した色域情報に応じて再生する上記コンテンツの色域を変換する。このように、コンテンツとは異なる経路で色域情報を送信する場合、コンテンツの色域の切り替わりと高精度に同期させて、適用する色域情報も変化させるための仕組みが必要となる。
【０２８０】
例えば、図２１に示すように、色域が変化するタイミングをシステムクロック（ＳＴＣ）で規定したタイミング指定情報を受信機２ｃに送信することにより、コンテンツの色域が切り替わるタイミングで、適用する色域情報を変化させることができる。図２１は、タイミング指定情報と、該タイミング指定情報に応じた色域の変化の例を示す図である。なお、システムクロックは、放送経路や通信経路でのコンテンツ配信において、映像、音声、および字幕などを同期させるために使用される時刻情報である。
【０２８１】
図２１の例では、ＳＴＣ（１）となったタイミングにおけるコンテンツの色域は色域（１）であり、これがＳＴＣ（２）となると色域（２）に、ＳＴＣ（３）となると色域（３）に切り替わっている。このような色域の変化は、例えば同図の左上に示すように、ＳＴＣとそのときの色域（色域情報）とを対応付けたタイミング指定情報として表すことができる。
【０２８２】
なお、このようなタイミング指定情報は、コンテンツの放送スケジュールや、コンテンツの途中に放送される広告コンテンツ等に基づいて、色域が変化するタイミングおよび変化後にどのような色域となるかを予め取得しておくことによって生成することができる。
【０２８３】
そして、このようなタイミング指定情報を受信した受信機２ｃでは、色域情報取得部３０５ｃが、該タイミング指定情報の示すタイミングに、該タイミングに対応付けられた色域情報を色域変換部２６ｃに通知する。これにより、タイミング指定情報の示すタイミングで異なる色域変換を適用することが可能になる。
【０２８４】
なお、色域情報取得部３０５ｃは、色域情報を色域調整部３０６ｃに送信してもよく、この場合には、色域調整部３０６ｃがユーザ操作に応じた色域の調整方法を決定し、該決定した調整方法を色域変換部２６ｃに通知する。
【０２８５】
ただし、広告コンテンツのような比較的放送時間の短いコンテンツへの切り替えの際に、ユーザに色域を調整させた場合、却ってユーザに煩わしさを感じさせることも考えられる。このため、切り替え後のコンテンツの放送時間が所定時間（例えば５分）以下である場合には、取得した色域情報に基づいて自動で色域を調整し、所定時間を超える場合にはユーザに調整させてもよい。
【０２８６】
〔色域情報について〕
色域情報は、受信したコンテンツの色域に関する情報であって、色域変換の要否判定、および変換要の場合の変換の態様の決定に用いることができるものであればよい。例えば、上記色域情報は、以下の情報の少なくとも何れかを含むものであってもよい。
（１）色度空間または色度平面上における、色域（受信したコンテンツの映像の色域）の外縁を示す外縁座標
（２）受信したコンテンツの色域が色度平面上に占める面積と、該色域との比較対象として予め定められた色域が上記色度平面上に占める面積との比を示す面積比情報
（３）受信したコンテンツの色域が、該色域との比較対象として予め定められた色域の外に出ている程度を示す情報
（４）受信したコンテンツの色域を包含する色域が規定された色域フォーマット（映像規格）を示す対応フォーマット情報（対応規格情報）
（５）受信したコンテンツの色域の少なくとも一部が包含されない色域が規定された色域フォーマット（映像規格）を示す非対応フォーマット情報（非対応規格情報）
具体例を挙げれば、上記（１）の外縁座標は、［(x,y,z),(x,y,z),…,(x,y,z)］のような形式で記述された、色度空間または色度平面上で表された色域の最外郭の座標であってもよい。外縁座標は、少なくとも３点の座標を含んでいればよい。
【０２８７】
また、上記（２）および（３）の「比較対象として予め定められた色域」は、該色域を受信機２側で認識できるものであればよい。例えば、上記「比較対象として予め定められた色域」は、既存の色域フォーマット（映像規格）で定められた色域であってもよいし、既存の色域フォーマットの色域とは独立に設定された色域であってもよい。前者の例としては、上記（２）の「比較対象として予め定められた色域」としてBT.2020の色域を用い、上記（３）の「比較対象として予め定められた色域」としてBT.709の色域を用いる例が挙げられる。なお、上記（３）の「比較対象として予め定められた色域」は、受信したコンテンツの色域のはみ出しが生じ得るような色域（受信したコンテンツが取りうる最大の色域よりも狭い色域）である必要がある。また、後者の例としては、LCD（Liquid Crystal Display） Level 10、OLED（Organic Electro-Luminescence Display） Version 4のように、ディスプレイの種類毎に、色域の広さや範囲がどの程度であるかをバージョン番号やレベルの数値によって規定する例が挙げられる。
【０２８８】
上記（２）の面積比情報は、（受信したコンテンツの色域が色度平面上に占める面積）／（比較対象として予め定められた色域が上記色度平面上に占める面積）のような形式で面積比を示すものであってもよい。また、BT.2020の７０％、xvYCC（extended video YCC）の５０％のように、比較対象として予め定められた色域が上記色度平面上に占める面積に対して受信したコンテンツの色域が色度平面上に占める面積の割合をパーセントで示したものであってもよい。
【０２８９】
また、上記（３）の情報は、比較対象として予め定められた色域を示す情報と、その色域外となっている色域の割合を示す情報とを対応付けたものとしてもよい。例えば、受信したコンテンツの色域のｎ％がBT.709の色域外に存在する場合には、BT.709, n(%)のような形式の情報としてもよい。
【０２９０】
これにより、例えば、BT.709に準拠したディスプレイ２８ｃを備えた受信機２ｃに、ｎ％のはみ出しが生じることを認識させることができる。また、ｎの大小に応じて、変換の態様を変更させることもできる。例えば、ｎが３０〜５０％の場合のように、はみ出る部分が比較的少ない場合にはクリッピングを適用させ、ｎが８０％以上の場合のように、はみ出る部分が多い場合にはコンプレッションを適用させることも可能になる。なお、上記ｎは、色度平面上における画素数をカウントして算出してもよい。例えば、上記ｎは、（上記コンテンツの色域内の画素のうち比較対象の色域外にある画素数）／（上記コンテンツの色域内に含まれる総画素数）×１００との数式で算出してもよい。
【０２９１】
上記（４）（５）の対応フォーマット情報および非対応フォーマット情報の詳細については、後に図６を参照して説明する。
【０２９２】
〔外縁座標を用いた色域変換の例〕
次に、色域情報として外縁座標（上記（１）参照）を用いた色域変換の例について、色域変換部２６ｃは、図３を用いて説明した処理と同様の処理を行う。また、図３を用いて説明した効果と同様の効果を奏する。
【０２９３】
〔面積比情報を用いた色域変換の例〕
続いて、色域情報として面積比情報（上記（２）参照）を用いた色域変換の例について、色域変換部２６ｃは、図４を用いて説明した処理と同様の処理を行う。また、図４を用いて説明した効果と同様の効果を奏する。
【０２９４】
〔はみ出した領域の面積の割合を用いた色域変換の例〕
続いて、色域情報としてはみ出した領域の面積の割合を示す情報（上記（３）参照）を用いた色域変換の例について、色域変換部２６ｃは、図５を用いて説明した処理と同様の処理を行う。また、図５を用いて説明した効果と同様の効果を奏する。
【０２９５】
〔対応フォーマット情報／非対応フォーマット情報〕
次に、色域情報の１つである対応フォーマット情報（上記（４））と非対応フォーマット情報（上記（５））について、色域変換部２６ｃは、図６を用いて説明した処理と同様の処理を行う。また、図６を用いて説明した効果と同様の効果を奏する。
【０２９６】
〔色域情報の取得処理〕
次に、色域情報の取得について図２２に基づいて説明する。図２２は、受信機２で実行される色域情報を取得する処理の一例を示すフローチャートである。なお、ここでは、ユーザ操作に基づく色域調整は行わず、受信機２ｃが自動的に色域を変換する例を説明する。
【０２９７】
まず、制御情報取得部３０３ｃは、逆多重化部２３ｃが出力する信号からＡＩＴを抽出してアプリ制御部３０４ｃに出力し、アプリ制御部３０４ｃはこのＡＩＴに従って色域情報取得部３０５を起動する（Ｓ６１）。
【０２９８】
次に、起動した色域情報取得部３０５ｃは、上記ＡＩＴの示す所定の取得先（この例では送信機１）から通信経路にて色域情報を取得する（Ｓ６２）。また、色域情報取得部３０５ｃは、取得した色域情報を色域変換部２６ｃに送信して（Ｓ６３）、その旨をアプリ制御部３０４ｃに通知する。そして、アプリ制御部３０４ｃは、色域情報取得部３０５ｃの起動を終了し（Ｓ６４）、これにより色域情報の取得処理は終了する。
【０２９９】
〔色域の変換処理〕
次に、色域の変換について図２３に基づいて説明する。図２３は、受信機２ｃで実行される色域の変換処理の一例を示すフローチャートである。なお、この処理は、図２２のＳ６３の処理で送信された色域情報を受信した色域変換部２６ｃが実行する処理である。また、ここでは、色域情報として外縁座標が受信された例を説明する。
【０３００】
まず、色域変換部２６ｃは、受信した色域情報の示す、受信したコンテンツの映像の色域と、ディスプレイ２８ｃの色域とを比較する（Ｓ７０）。そして、映像の色域の方が大きいか否か、言い換えれば映像の色域がディスプレイ２８ｃの色域内に収まっているか否かを判定する（Ｓ７１）。
【０３０１】
ここで、映像の色域がディスプレイ２８ｃの色域内に収まっていると判定した場合（Ｓ７１でＮＯ）、色域変換部２６ｃは、色域変換を行わず（Ｓ７５）、処理を終了する。この場合、受信したコンテンツの映像は、色域変換がなされることなくディスプレイ２８ｃに表示される。なお、Ｓ７１でＮＯと判定した場合、色域変換部２６ｃは、映像の色域をディスプレイ２８ｃの色域に収まる範囲内で拡張してもよい。
【０３０２】
一方、映像の色域がディスプレイ２８ｃの色域からはみ出していると判定した場合（Ｓ７１でＹＥＳ）、色域変換部２６ｃは、映像の色域の方が１０％以上大きいか否かを判定する（Ｓ７２）。なお、この判定は、例えば、色度平面上において、色域情報として受信した外縁座標から算出した、映像の色域の面積と、同色度平面におけるディスプレイ２８ｃの色域の面積とを比較することで行うことができる。
【０３０３】
そして、色域変換部２６ｃは、映像の色域の方が１０％以上大きいと判定した場合（Ｓ７２でＹＥＳ）には、当該映像にコンプレッション処理を施してディスプレイ２８ｃの色域に収まるようにする（Ｓ７３）。一方、色域の差異が１０％に満たないと判定した場合（Ｓ７２でＮＯ）には、当該映像にクリッピング処理を施してディスプレイ２８ｃの色域に収まるようにする（Ｓ７４）。これにより、色域の変換処理は終了する。
【０３０４】
なお、上記の例では、クリッピング処理を行うかコンプレッション処理を行うかの判定の基準を、映像の色域がディスプレイ２８ｃの色域より１０％以上大きいか否かとしているが、判定の基準はこの例に限られない。
【０３０５】
〔変換テーブルを用いた色域変換〕
上述の例では、色域変換部２６ｃが色域情報を用いて、その色域情報に応じた色域変換を決定しているが、色域変換の内容を示す変換テーブルを参照することによって適用する色域変換を決定してもよい。これについて、図２４に基づいて説明する。図２４は、変換テーブルを用いた色域変換を説明する図である。
【０３０６】
同図に示す変換テーブル（色域変換情報）Ｔは、BT.2020の色域をBT.709の色域に変換する変換テーブルの一例を示している。この変換テーブルＴは、BT.2020の色域に含まれる２５６×２５６＝６５５３６個の要素のそれぞれについて、変換後の値が示されたルックアップテーブルである。
【０３０７】
変換テーブル管理サーバ６には、BT.2020の色域変換用の変換テーブルＴの他にも、様々な表示特性（より詳細にはディスプレイ２８の色域）の受信機２ｃに対応できるように、複数種類の変換テーブルが格納されている。例えば、変換テーブル管理サーバ６には、BT.2020の色域をAdobeRGBの色域に変換する変換テーブルや、BT.2020の色域をパネルＡの色域（ユーザが独自に設定した所定の色域）に変換する変換テーブル等が格納されていてもよい。そして、受信機２ｃでは、ディスプレイ２８ｃが表示可能な色域に応じた変換テーブルを用いて、再生するコンテンツの色域を変換すればよい。例えば、ディスプレイ２８がBT.709に準拠している場合に、再生するコンテンツの色域がBT.2020であれば、BT.2020の色域をBT.709の色域に変換する変換テーブルを用いればよい。
【０３０８】
このような変換テーブルを受信した受信機２ｃでは、色域情報取得部３０５ｃがこの変換テーブルを色域変換部２６ｃに送信し、色域変換部２６ｃはこの変換テーブルを用いて映像の色域を変換する。なお、色域情報取得部３０５ｃは、ディスプレイ２８ｃに応じた１つの変換テーブルを取得してもよいし、複数の変換テーブルを取得してもよい。複数の変換テーブルを取得した場合、その中からディスプレイ２８ｃの色域に応じた変換テーブルを抽出して色域変換部２６ｃに送信する。また、変換テーブルを取得する場合であっても、上記（１）〜（５）のような色域情報も合わせて取得してもよい。これにより、変換テーブルによる変換が、ユーザの意に沿わないものとなった場合に、他の変換を行うことが可能になる。
【０３０９】
〔ユーザ操作による色域調整〕
続いて、ユーザ操作による色域調整について図２５および図２６に基づいて説明する。図２５は、色域の調整のために受信機２ｃにディスプレイ２８ｃに表示される色域調整画面の一例を示す図であり、図２６は、ユーザ操作による色域調整を受け付ける場合に受信機２ｃで実行される処理の一例を示すフローチャートである。
【０３１０】
〔色域調整における画面例〕
図２５の（ａ）の画面例では、色域調整の要否をユーザに選択させるためのウィンドウＡ１がコンテンツの映像に重畳して表示されている。より詳細には、このウィンドウＡ１には、色域調整の要否をユーザに問い合わせるメッセージと共に、色域調整することを選択するための選択項目「はい」と、調整しないことを選択するための選択項目「いいえ」とが表示されている。また、このウィンドウＡ１の右上隅には、該ウィンドウＡ１を閉じるための選択項目「Ｘ」が表示されている。
【０３１１】
このウィンドウＡ１から「はい」が選択されると、同図の（ｂ）の色域調整画面に遷移する。この色域調整画面には、ユーザに色域調整を行わせるためのウィンドウＡ２がコンテンツの映像に重畳して表示されている。より詳細には、このウィンドウＡ２には、パネル（ディスプレイ２８）の色域を示すパネル色域情報Ｂ１と、コンテンツの映像の色域を示す映像色域情報Ｂ２とが表示されている。また、このウィンドウＡ２には、変換後の色域を示す変換後色域情報Ｂ３と、色域を狭くするための色域縮小キーＢ４と、色域を広げるための色域拡張キーＢ５とがさらに表示されている。そして、ウィンドウＡ２の右上隅には、該ウィンドウＡ２を閉じるための選択項目（Ｘ）が表示されている。
【０３１２】
色域調整を行うユーザは、ウィンドウＡ２のパネル色域情報Ｂ１と映像色域情報Ｂ２とを参照することにより、映像の色域に対して、ディスプレイ２８ｃの色域がどの程度足りていないか、あるいはどの程度余裕があるかを容易に認識することができる。
【０３１３】
そして、映像の色域よりも、ディスプレイ２８ｃの色域が狭い場合には、ユーザは、色域縮小キーＢ４を操作する。これにより、色域を縮小する処理（例えばコンプレッション）が行われ、変換後色域情報Ｂ３にもこの処理の結果が反映されて、該変換後色域情報Ｂ３の示す色域が狭くなる。
【０３１４】
一方、映像の色域よりも、ディスプレイ２８ｃの色域が広い場合には、ユーザは、色域拡張キーＢ５を操作する。これにより、色域を拡張する処理が行われ、変換後色域情報Ｂ３にもこの処理の結果が反映されて、該変換後色域情報Ｂ３の示す色域が広くなる。
【０３１５】
〔ユーザが色域調整を行う場合の処理の流れ〕
ユーザが色域調整を行う場合、色域情報取得部３０５ｃに加え、色域調整部３０６ｃを起動し、この色域調整部３０６ｃによってユーザ操作を受け付ける。このため、色域調整のためのユーザ操作を受け付ける場合には、色域調整部３０６ｃを起動させるための記述をＡＩＴに含めておく。
【０３１６】
まず、制御情報取得部３０３ｃは、逆多重化部２３ｃが出力する信号からＡＩＴを抽出してアプリ制御部３０４ｃに出力し、アプリ制御部３０４ｃはこのＡＩＴに従って色域情報取得部３０５ｃを起動する（Ｓ８０）。そして、起動した色域情報取得部３０５ｃは、色域情報を取得する（Ｓ８１）。
【０３１７】
また、アプリ制御部３０４ｃは、上記ＡＩＴに従って色域調整部３０６ｃを起動し（Ｓ８２）、色域情報取得部３０５ｃに指示して、色域調整部３０６ｃに色域情報を送信させる。そして、色域情報を受信した色域調整部３０６ｃは、例えば図２５の（ａ）のような画面をディスプレイ２８ｃに表示させて、色域調整の要否をユーザに選択させる。なお、色域調整が否である旨の選択がなされたときには、色域変換部２６ｃに色域情報を送信して色域を変換させる。
【０３１８】
ここで、色域調整が要である旨の選択がなされたときには、色域調整部３０６ｃは、例えば図２５の（ｂ）のような画面をディスプレイ２８ｃに表示させて、色域調整するユーザ操作を受け付ける（Ｓ８３）。
【０３１９】
そして、色域調整部３０６ｃは、受け付けたユーザ操作に応じた調整方法を色域変換部２６ｃに通知して（Ｓ８４）、その旨をアプリ制御部３０４ｃに通知する。アプリ制御部３０４ｃは、色域調整部３０６ｃの起動を終了し（Ｓ８５）、また、色域情報取得部３０５ｃの起動も終了して（Ｓ８６）、これにより処理は終了する。
【０３２０】
〔実施形態１１〕
本発明の実施形態１１について、図２７から図２９に基づいて説明する。なお、上記実施形態と同様の構成には同一の参照番号を付し、その説明を省略する。まず、本実施形態の映像信号伝送システム５００の概要を図２７に基づいて説明する。図２７は、映像信号伝送システム５００の概略構成を示す図である。
【０３２１】
図示のように、映像信号伝送システム５００には、送信機１００、受信機２００、色域情報管理サーバ３００、および端末装置（送信装置）４００が含まれている。映像信号伝送システム５００は、上記実施形態の映像信号伝送システム５と同様に、送信機１００から受信機２００に映像信号等を伝送するシステムである。
【０３２２】
映像信号伝送システム５００では、端末装置４００にて色域情報管理サーバ３００から色域情報を取得し、取得した色域情報（または該色域情報に基づいて決定した色域の調整方法）を受信機２００に送信する。なお、色域情報管理サーバ３００は、放送される各コンテンツの色域情報を管理するサーバであり、該サーバにアクセスしてコンテンツを通知することにより、そのコンテンツ対応する色域情報を取得することができる。映像信号伝送システム５００は、このような処理により、コンテンツの色域を適応的に変換させることを可能にしている。
【０３２３】
〔受信機および端末装置の構成〕
続いて、受信機２００および端末装置４００構成を図２８に基づいて説明する。図２８は、受信機２００および端末装置４００の要部構成の一例を示すブロック図である。受信機２００は、図１９の受信機２ｃと概ね同様の構成であるが、ＡＩＴから色域情報を取得する機能を備えておらず、色域情報取得部３０５ｃが端末装置４００から色域情報または色域の調整方法を取得する点で異なっている。なお、図２８では、制御部３０ｃ内のブロックとして色域情報取得部３０５ｃのみを記載しているが、図１９の復号制御部３０１ｃ、逆多重化制御部３０２ｃ等も制御部３０ｃに含まれる。
【０３２４】
端末装置４００は、受信機２００のユーザが使用するものであり、受信機２００および色域情報管理サーバ３００との通信機能を備えた端末装置である。端末装置４００は、例えばスマートフォンやタブレット端末のような汎用の端末装置であってもよい。図示のように、端末装置４００は、通信Ｉ／Ｆ４０、制御部４１、表示部４２、および入力部４３を備えている。
【０３２５】
通信Ｉ／Ｆ４０は、端末装置４００が外部の装置、具体的には受信機２００および色域情報管理サーバ３００と通信経路にて通信するためのものである。通信Ｉ／Ｆ４０は、例えばインターネットのような通信網を介して通信を行う装置であってもよい。なお、受信機２００と通信を行うための通信Ｉ／Ｆと、色域情報管理サーバ３００と通信を行うための通信Ｉ／Ｆとが個別に設けられていてもよい。
【０３２６】
制御部４１は、端末装置４００の各部を統括して制御するものであり、色域情報取得部４１１、色域情報通知部（色域情報送信部）４１２、および色域調整部４１３を含む。
【０３２７】
色域情報取得部４１１は、色域情報を取得する。具体的には、色域情報取得部４１１は、ユーザの指定したコンテンツ（放送されており、受信機２００で受信されているコンテンツ）の色域情報を、色域情報管理サーバ３００から取得する。そして、色域情報取得部４１１は、取得した色域情報を色域調整部４１３に送信する。なお、端末装置４００では色域の調整を行わない構成とすることも可能であり、この場合には、色域調整部４１３は、取得した色域情報を色域情報通知部４１２に送信し、色域情報通知部４１２はこの色域情報を受信機２００に送信する。
【０３２８】
色域情報通知部４１２は、色域調整部４１３が決定した色域の調整方法を通信経路で（通信Ｉ／Ｆ４０を介して）受信機２００に通知する。なお、上記の通り、端末装置４００で色域の調整を行わない場合には、色域情報通知部４１２は、色域情報取得部４１１が取得した色域情報を通信Ｉ／Ｆ４０を介して受信機２００に通知する。
【０３２９】
色域調整部４１３は、色域情報取得部４１１が取得した色域情報に基づき、コンテンツの色域を調整するユーザ操作を受け付ける色域調整画面を表示部４２に表示させる。そして、該色域調整画面の表示中のユーザ操作に従って色域の調整方法を決定し、決定した調整方法を色域情報通知部４１２に送信する。これにより、当該調整方法が受信機２００に通知される。
【０３３０】
表示部４２は、制御部４１の制御に従って画像を表示する表示装置であり、入力部４３は端末装置４００に対するユーザの入力操作を受け付けて制御部４１に該操作の内容を通知する入力装置である。ここでは、表示部４２の表示面と入力部４３の入力面とが一体に構成されたタッチパネルである例を説明するが、表示部４２と入力部４３とは独立した別個の装置であってもよい。
【０３３１】
〔色域の調整方法〕
端末装置４００を用いた色域の調整方法を図２９に基づいて説明する。図２９は、色域の調整のために表示される色域調整画面の一例を示す図である。なお、ここでは、放送されているコンテンツの関連情報を表示させるアプリの機能の１つとして、色域調整機能が設けられている例を説明する。つまり、色域情報取得部４１１、色域情報通知部４１２、および色域調整部４１３は、上記アプリを起動することによって動作を開始する。無論、色域情報取得部４１１、色域情報通知部４１２、および色域調整部４１３は、上記アプリとは独立に起動し、動作するものであってもよい。しかし、アプリの機能に組み込む場合、コンテンツの関連情報を確認するついでに色域調整を行うことができるので好ましい。
【０３３２】
端末装置４００のユーザが上記アプリを起動して、ユーザが受信機２００にて視聴するコンテンツを選択すると、該アプリによって該コンテンツの番組情報が取得され、色域情報取得部４１１によって色域情報が取得される。そして、取得された各種情報が、例えば図２９の（ａ）に示すような態様で表示部４２に表示される。
【０３３３】
図２９の（ａ）の画面例では、番組情報として、番組名、放送時間、出演者、および番組内容が表示されていると共に、色域情報取得部４１１が取得した色域情報が表示されている。この例では、色域情報として、当該コンテンツ（番組）の映像の色域の色度平面における面積が、BT.2020の色域の面積に対して８０％の広さを有し、BT.709の色域の面積に対して１２０％の広さを有することが表示されている。
【０３３４】
また、図２９の（ａ）の画面例では、受信機情報として、受信機２００の機種名およびディスプレイ特性が表示されている。この例では、ディスプレイ特性として、ディスプレイ２８の色域の色度平面における面積が、BT.2020の色域の面積に対して７０％の広さを有し、BT.709の色域の面積に対して１１０％の広さを有することが表示されている。ユーザは、このディスプレイ特性と、色域情報とを比較することにより、表示させるコンテンツの色域がディスプレイ２８の色域の範囲内に収まっているか否かを判断することができる。なお、これらの受信機情報は、端末装置４００と受信機２００を通信させる等して受信機２００から取得してもよいし、ユーザが事前に端末装置４００に入力しておいてもよい。
【０３３５】
さらに、図２９の（ａ）の画面例では、色域調整を開始するためのキーＣが表示されている。ユーザがこのキーＣを選択すると、色域調整部４１３は、例えば同図の（ｂ）に示すような色域調整画面を表示部４２に表示させる。なお、このような色域調整画面は、色域情報として外縁座標を取得することによって表示させることができる。
【０３３６】
同図の（ｂ）の色域調整画面は、色度平面上にコンテンツの映像の色域と、ディスプレイ２８の色域とを表示させた画面である。このような色域調整画面を表示させることにより、コンテンツの映像の色域の何れの部分を調整すべきかをユーザに認識させることができる。また、この色域調整画面では、コンテンツの映像の色域の外縁部を選択してドラッグすることにより、外縁部の形状を変形することができるようになっている。
【０３３７】
図示の例では、コンテンツの映像の色域を示す三角形の頂点にあたる位置Ｐ１を選択している。そして、同図の（ｃ）に示すように、この位置Ｐ１からディスプレイ２８ｃの色域の範囲内の位置Ｐ２まで選択位置を移動させることにより、コンテンツの映像の色域の頂点が移動し、ディスプレイ２８ｃの色域の範囲内に収まる状態となる。このようにして、コンテンツの映像の色域の外縁部が変形されると、色域調整部４１３は、コンテンツの映像の色域がこのように変形されるような色域の調整方法を決定して色域情報通知部４１２に送信する。これにより、当該調整方法が受信機２００に通知され、上記コンテンツの映像はこの調整方法で調整された上で表示される。
【０３３８】
以上のように、本実施形態の映像信号伝送システム５００によれば、ユーザは端末装置４００にて、受信機２００に表示されるコンテンツの色域を自分の好みに合うように調整することができる。そして、この映像信号伝送システム５００では、送信機１００は、色域情報の取得や送信等、色域の調整のための処理を行う必要がなく、このため、従来の放送局で使用されているような一般的な送信機をそのまま適用することも可能である。
【０３３９】
また、この映像信号伝送システム５００では、受信機２００に色域を調整するユーザ操作を受け付けるための構成を設ける必要がなく、端末装置４００にアプリをインストールするだけで色域を調整するユーザ操作を受け付けることができる。よって、受信機２００の製造コストを増加させることなく、ユーザによる色域の調整を簡易に実現することができる。
【０３４０】
〔実施形態１２：変形例〕
上記実施形態の送信機１ｃは、色域情報を受信機２ｃに送信する送信装置としての機能と、色域情報を取得するためのＡＩＴを生成する制御情報生成装置としての機能と、デジタル放送信号を送信する放送信号送信装置としての機能とを備えていた。しかしながら、互いに独立した送信装置と制御情報生成装置と放送信号送信装置との組み合わせによっても、上記送信機１ｃと同様の機能を実現することができる。例えば、色域情報を送信する送信装置と、上記ＡＩＴを生成する制御情報生成装置と、放送信号を送信する放送信号送信装置とを含む映像信号伝送システムであっても、上記送信機１ｃと同様の機能を実現できる。また、例えば、色域情報を送信する送信装置と、上記ＡＩＴを生成する機能と放送信号を送信する機能とを備えた装置との組み合わせによっても、上記送信機１ｃと同様の機能を実現できる。
【０３４１】
そして、上記各実施形態では、コンテンツを放送経路で送信する例を説明したが、コンテンツは通信経路で送信してもよい。また、放送経路で送信されるコンテンツと通信経路で送信されるコンテンツを組み合わせて再生してもよい。
【０３４２】
〔実施形態１３：ソフトウェアによる実現例〕
送信機１ｃ、受信機２ｃ、受信機２００、および端末装置４００の制御ブロック（特に制御部１５ｃ、多重化部１２ｃ、暗号化部１３ｃ、送信部１４ｃ、復号部２２ｃ、逆多重化部２３ｃ、色域変換部２６ｃ、表示制御部２７ｃ、制御部３０ｃ、制御部４１）は、集積回路（ＩＣチップ）等に形成された論理回路（ハードウェア）によって実現してもよいし、ＣＰＵ（Central Processing Unit）を用いてソフトウェアによって実現してもよい。
【０３４３】
後者の場合、送信機１ｃ、受信機２ｃ、受信機２００、および端末装置４００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０３４４】
〔まとめ〕
本発明の態様３２に係る送信装置（送信機１ｃ、端末装置４００）は、放送経路と通信経路とを併用したサービスに対応した受信装置（受信機２ｃ）に情報を送信する送信装置であって、上記受信装置に送信されるコンテンツの映像の色域に関する色域情報を取得する色域情報取得部（１５２ｃ、４１１）と、上記色域情報を通信経路にて上記受信装置に送信する色域情報送信部（色域情報通知部１５３ｃ、色域情報通知部４１２）と、を備えている。
【０３４５】
上記の構成によれば、色域情報を通信経路にて受信装置に送信する。ここで、上記受信装置は、放送経路と通信経路とを併用したサービス（例えばハイブリッドキャスト）に対応しているから、通信経路で受信した色域情報を用いてコンテンツを再生することができる。よって、上記の構成によれば、該色域情報を受信した受信装置に、該色域情報に応じて該コンテンツの色域を適応的に変換させた上で、当該コンテンツを再生させることができる。
【０３４６】
本発明の態様３３に係る送信装置では、上記態様３２において、上記色域情報送信部は、上記色域情報を適用すべきタイミングを示すタイミング指定情報を送信してもよい。
【０３４７】
上記の構成によれば、タイミング指定情報を送信するので、このタイミング指定情報の示すタイミングで、色域情報に応じた色域の変換を適用させることができる。これにより、例えばフレーム単位で異なる色域変換を適用させることも可能になる。なお、上記タイミング指定情報としては、例えばシステムクロックのような、放送において同期制御に使用される時刻情報を適用することが好ましい。
【０３４８】
本発明の態様３４に係る送信装置では、上記態様３２または３３において、上記色域情報には、上記コンテンツの映像の色域をより狭い色域に変換する変換方法を示す色域変換情報が含まれていてもよい。
【０３４９】
上記の構成によれば、色域情報には色域変換情報が含まれているので、これを受信した受信装置は、該色域変換情報の示す変換方法を用いて上記コンテンツの映像の色域をより狭い色域に変換することができる。つまり、上記の構成によれば、受信装置に色域の変換方法を決定する処理を行わせることなく、コンテンツの映像の色域をより狭い色域に変換させることができる。
【０３５０】
本発明の態様３５に係る送信装置では、上記態様３２から３４の何れかにおいて、上記色域情報には、色度空間または色度平面上で表された上記コンテンツの色域の外縁を示す外縁座標が含まれていてもよい。
【０３５１】
上記の構成によれば、色域情報には、色度空間または色度平面上で表された上記コンテンツの色域の外縁を示す外縁座標が含まれている。よって、上記色域情報を受信した受信装置は、受信したコンテンツの色域がどのような広がりをもっているかを特定することができる。そして、これにより、該コンテンツを表示させるディスプレイに応じて、上記コンテンツの色域を適切に変換して、または変換することなく、該コンテンツを適切に表示させることができる。
【０３５２】
本発明の態様３６に係る送信装置では、上記態様３２から３５の何れかにおいて、上記色域情報には、上記コンテンツの色域が色度平面上に占める面積と、該色域との比較対象として予め定められた色域が上記色度平面上に占める面積との比を示す面積比情報が含まれていてもよい。
【０３５３】
上記の構成によれば、色域情報には、上記コンテンツの色域が色度平面上に占める面積と、該色域との比較対象として予め定められた色域が上記色度平面上に占める面積との比を示す面積比情報が含まれている。よって、上記色域情報を受信した受信装置は、受信したコンテンツの色域が、比較対象の色域と比べてどの程度大きいかあるいはどの程度小さいかを特定することができる。そして、これにより、該コンテンツを表示させるディスプレイに応じて、上記コンテンツの色域を適切に変換して、または変換することなく、該コンテンツを適切に表示させることができる。
【０３５４】
なお、比較対象の色域は、該色域を受信装置側で認識できるものであればよく、例えば既存の色域フォーマットで定められた色域（既存の映像規格で定められた色域）であってもよいし、既存の色域フォーマットの色域とは独立に設定された色域であってもよい。
【０３５５】
本発明の態様３７に係る送信装置では、上記態様３２から３６の何れかにおいて、上記色域情報には、上記コンテンツの色域が、該色域との比較対象として予め定められた色域の外に出ている程度を示す情報が含まれていてもよい。
【０３５６】
上記の構成によれば、色域情報には、上記コンテンツの色域が、該色域との比較対象として予め定められた色域の外に出ている程度を示す情報が含まれている。よって、上記色域情報を受信した受信装置は、受信したコンテンツの色域が、比較対象の色域からどの程度はみ出しているかを特定することができる。そして、これにより、該コンテンツを表示させるディスプレイに応じて、上記コンテンツの色域を適切に変換して、または変換することなく、該コンテンツを適切に表示させることができる。
【０３５７】
本発明の態様３８に係る送信装置では、上記態様３２から３７の何れかにおいて、上記色域情報には、上記コンテンツの色域を包含する色域が規定された映像規格を示す対応規格情報（対応フォーマット情報）が含まれていてもよい。
【０３５８】
上記の構成によれば、色域情報には、上記コンテンツの色域を包含する色域が規定された映像規格を示す対応規格情報が含まれている。よって、上記色域情報を受信した受信装置は、当該コンテンツを表示させるディスプレイが、上記映像規格に準拠していれば、当該コンテンツの色域を変換することなく表示させることが可能であると判定することができる。一方、当該コンテンツを表示させるディスプレイが、上記映像規格に準拠していない、あるいは該映像規格よりも色域の狭い映像規格に準拠している場合には、当該コンテンツの色域を変換する必要があると判定することができる。したがって、上記の構成によれば、コンテンツを表示させるディスプレイに応じて、上記コンテンツの色域を適切に変換して、または変換することなく、該コンテンツを適切に表示させることができる。
【０３５９】
本発明の態様３９に係る送信装置では、上記態様３２から３８の何れかにおいて、上記色域情報には、上記コンテンツの色域の少なくとも一部が包含されない色域が規定された映像規格を示す非対応規格情報（非対応フォーマット情報）が含まれていてもよい。
【０３６０】
上記の構成によれば、色域情報には、上記コンテンツの色域の少なくとも一部が包含されない色域が規定された映像規格を示す非対応規格情報が含まれている。よって、上記色域情報を受信した受信装置は、当該コンテンツを表示させるディスプレイが、上記映像規格に準拠している場合、あるいは該映像規格よりも色域の狭い映像規格に準拠している場合、当該コンテンツの色域を変換する必要があると判定することができる。したがって、上記の構成によれば、コンテンツを表示させるディスプレイに応じて、上記コンテンツの色域を適切に変換して、該コンテンツを適切に表示させることができる。
【０３６１】
本発明の態様４０に係る制御情報生成装置（送信機１ｃ）は、放送経路と通信経路とを併用したサービスに対応した受信装置（受信機２ｃ）に送信されるコンテンツの再生に関する制御情報を生成する制御情報生成装置であって、上記コンテンツの映像の色域に関する色域情報を取得するための制御情報（ＡＩＴ）を生成する制御情報生成部（１５４ｃ）と、上記受信装置に上記制御情報を送信する制御情報送信部（送信部１４ｃ）と、備えている。
【０３６２】
上記の構成によれば、色域情報を取得するための制御情報を生成して受信装置に送信するので、該受信装置に該制御情報を用いて色域情報を取得させることができる。よって、上記の構成によれば、受信装置に色域情報に応じて、コンテンツの色域を適応的に変換させた上で、当該コンテンツを再生させることができる。
【０３６３】
本発明の態様４１に係る制御情報生成装置は、上記態様４０において、上記制御情報送信部は、上記制御情報を上記コンテンツと共にデジタル放送信号として上記受信装置に送信する構成であってもよい。
【０３６４】
上記の構成によれば、上記制御情報を上記コンテンツと共にデジタル放送信号として送信する。よって、このデジタル放送信号を受信した受信装置に、上記制御情報に従って取得した色域情報に応じて、上記コンテンツの色域を適応的に変換させた上で、当該コンテンツを再生させることができる。
【０３６５】
本発明の態様４２に係る受信装置（受信機２ｃ）は、放送経路と通信経路とを併用したサービスに対応した受信装置であって、再生対象のコンテンツの映像の色域に関する色域情報を取得するための制御情報を取得する制御情報取得部（３０３ｃ）と、上記制御情報に従って通信経路にて取得された上記色域情報に応じて、上記コンテンツの映像の色域を変換する色域変換部（２６ｃ）と、を備えている。
【０３６６】
上記の構成によれば、コンテンツの映像の色域に関する色域情報を取得するための制御情報を取得して、この制御情報に従って通信経路にて取得された上記色域情報に応じて上記コンテンツの映像の色域を変換する。よって、上記の構成によれば、色域情報に応じてコンテンツの色域を適応的に変換させた上で、該コンテンツを再生することができる。
【０３６７】
本発明の態様４３に係るテレビジョン受像機は、上記態様４２に記載の受信装置を含んでいる。よって、態様４２の受信装置と同様の作用効果を奏する。
【０３６８】
本発明の態様４４に係る映像信号伝送システム５は、放送経路と通信経路とを併用したサービスに対応した受信装置（受信機２ｃ）にコンテンツを送信する送信装置（送信機１ｃ）と該コンテンツを受信する受信装置とを含む映像信号伝送システムであって、上記送信装置は、上記コンテンツの映像の色域に関する色域情報を取得するための制御情報を上記コンテンツと共にデジタル放送信号として上記受信装置に送信し、上記受信装置は、上記デジタル放送信号から取得した上記制御情報に従って上記色域情報を通信経路にて取得し、上記コンテンツの映像の色域を上記色域情報に応じて変換する。よって、態様１の送信装置および態様４２の受信装置と同様の作用効果を奏する。
【０３６９】
本発明の各態様に係る送信装置、制御情報生成装置、および受信装置は、コンピュータによって実現してもよく、この場合には、コンピュータを上記送信装置、制御情報生成装置、または受信装置が備える各部として動作させることにより上記送信装置、制御情報生成装置、または受信装置をコンピュータにて実現させる制御プログラム、およびそれを記録したコンピュータ読み取り可能な記録媒体も、本発明の範疇に入る。
【０３７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０３７１】
本発明は、コンテンツの送信機および受信機に利用することができる。
【符号の説明】
【０３７２】
１  送信機（制御情報生成装置、送信装置）
１４  送信部
１７  色域情報取得部
１８  制御情報生成部
２  受信機（受信装置、テレビジョン受像機）
３２  制御情報取得部
２６  色域変換部
５  映像信号伝送システム
【図１】
2016031911.tif 000003
【図２】
2016031911.tif 000004
【図３】
2016031911.tif 000005
【図４】
2016031911.tif 000006
【図５】
2016031911.tif 000007
【図６】
2016031911.tif 000008
【図７】
2016031911.tif 000009
【図８】
2016031911.tif 000010
【図９】
2016031911.tif 000011
【図１０】
2016031911.tif 000012
【図１１】
2016031911.tif 000013
【図１２】
2016031911.tif 000014
【図１３】
2016031911.tif 000015
【図１４】
2016031911.tif 000016
【図１５】
2016031911.tif 000017
【図１６】
2016031911.tif 000018
【図１７】
2016031911.tif 000019
【図１８】
2016031911.tif 000020
【図１９】
2016031911.tif 000021
【図２０】
2016031911.tif 000022
【図２１】
2016031911.tif 000023
【図２２】
2016031911.tif 000024
【図２３】
2016031911.tif 000025
【図２４】
2016031911.tif 000026
【図２５】
2016031911.tif 000027
【図２６】
2016031911.tif 000028
【図２７】
2016031911.tif 000029
【図２８】
2016031911.tif 000030
【図２９】
2016031911.tif 000031
【国際調査報告】
2016031911.tif 000032
2016031911.tif 000033
2016031911.tif 000034
2016031911.tif 000035